(57)【要約】【課題】ＷＬＡＮアクセスネットワークを介した緊急通信に対する通信制御方法等を提供する。【解決手段】ＷＬＡＮアクセスネットワークに含まれるゲートウェイ装置が、緊急通信のためのサービスをサポートするか否かに基づいて、デタッチする制御と、緊急通信のためのサービスをサポートするゲートウェイ装置にアタッチする制御とを実行する。【選択図】図１
2018137490.tif 000002
【特許請求の範囲】
【請求項１】
端末装置であって、
第１のゲートウェイ装置が緊急通信サービスをサポートしているか否かに基づいて第１のＰＤＮコネクションを切断するためにデタッチ手続きを開始する制御部と、
前記第１のＰＤＮコネクションは、前記第１のゲートウェイ装置を介して確立するＰＤＮコネクションであり、
前記制御部は、前記デタッチ手続きの完了に基づいて、第２のＰＤＮコネクションを確立するための要求メッセージを第２のゲートウェイ装置に送信する送受信部を有し、
前記第２のＰＤＮコネクションは緊急通信サービス用のＰＤＮコネクションであり、
前記第２のゲートウェイは、緊急通信サービスをサポートするゲートウェイである
ことを特徴とする端末装置。
【請求項２】
前記第１及び第２のゲートウェイ装置は、Ｕｎｔｒｕｓｔｅｄ  Ｎｏｎ３ＧＰＰ  Ａｃｃｅｓｓ  Ｎｅｔｗｏｒｋとコアネットワークを接続するゲートウェイ装置であり、
前記要求メッセージはＩＫＥ＿ＡＵＴＨメッセージである
ことを特徴とする請求項１に記載の端末装置。
【請求項３】
前記第1及び第２のゲートウェイ装置は、Ｔｒｕｓｔｅｄ  Ｎｏｎ３ＧＰＰ  Ａｃｃｅｓｓ  Ｎｅｔｗｏｒｋとコアネットワークを接続するゲートウェイ装置であり、
前記要求メッセージはＰＤＮ  Ｃｏｎｎｅｃｔｉｖｉｔｙ  Ｒｅｑｕｅｓｔメッセージである
ことを特徴とする請求項１に記載の端末装置。
【請求項４】
前記制御部は、第1のゲートウェイ装置からのＩＫＥ＿ＡＵＴＨ応答メッセージの受信に基づいて前記第1のＰＤＮコネクションを確立し、
前記ＩＫＥ＿ＡＵＴＨ応答メッセージに第1のゲートウェイ装置が緊急通信サービスをサポートすることを示す情報が含まれていない場合には、前記デタッチ手続きを開始する
ことを特徴とする請求項２に記載の端末装置。
【請求項５】
前記制御部は、第1のゲートウェイ装置からのＩＫＥ＿ＡＵＴＨ応答メッセージの受信に基づいて前記第1のＰＤＮコネクションを確立し、
前記ＩＫＥ＿ＡＵＴＨ応答メッセージに第1のゲートウェイ装置が緊急通信サービスをサポートすることを示す情報が含まれている場合には、前記デタッチ手続きを開始せず、
前記送受信部は、前記第２のＰＤＮコネクションを確立するためにＩＫＥ＿ＡＵＴＨ要求メッセージを前記第１のゲートウェイ装置に送信する
ことを特徴とする請求項２に記載の端末装置。
【請求項６】
前記送受信部は、前記ＩＫＥ＿ＡＵＴＨ応答メッセージに含まれる第２のゲートウェイ装置が緊急通信サービスをサポートすることを示す情報を受信する
ことを特徴とする請求項４に記載の端末装置。
【請求項７】
前記制御部は、第1のゲートウェイ装置からのＰＤＮ  Ｃｏｎｎｅｃｔｉｖｉｔｙ  Ａｃｃｅｐｔメッセージの受信に基づいて前記第1のＰＤＮコネクションを確立し、
前記ＰＤＮ  Ｃｏｎｎｅｃｔｉｖｉｔｙ  Ａｃｃｅｐｔメッセージに第1のゲートウェイ装置が緊急通信サービスをサポートすることを示す情報が含まれていない場合には、前記デタッチ手続きを開始する
ことを特徴とする請求項３に記載の端末装置。
【請求項８】
前記制御部は、第1のゲートウェイ装置からのＰＤＮ  Ｃｏｎｎｅｃｔｉｖｉｔｙ  Ａｃｃｅｐｔメッセージの受信に基づいて前記第1のＰＤＮコネクションを確立し、
前記ＩＫＥ＿ＡＵＴＨ応答メッセージに第1のゲートウェイ装置が緊急通信サービスをサポートすることを示す情報が含まれている場合には、前記デタッチ手続きを開始せず、
前記送受信部は、前記第２のＰＤＮコネクションを確立するためにＰＤＮ  Ｃｏｎｎｅｃｔｉｖｉｔｙ要求メッセージを前記第１のゲートウェイ装置に送信する
ことを特徴とする請求項３に記載の端末装置。
【請求項９】
前記送受信部は、前記ＰＤＮ  Ｃｏｎｎｅｃｔｉｖｉｔｙ  Ａｃｃｅｐｔメッセージに含まれる第２のゲートウェイ装置が緊急通信サービスをサポートすることを示す情報を受信する
ことを特徴とする請求項７に記載の端末装置。
【請求項１０】
ゲートウェイ装置であって、
ＰＤＮコネクションを確立するために端末装置が送信するＩＫＥ＿ＡＵＴＨ要求メッセージを受信する送受信部を有し、
前記送受信部は、前記ＩＫＥ＿ＡＵＴＨ要求メッセージに対する応答として、前記ゲートウェイ装置が緊急通信サービスをサポートすることを示す情報を少なくとも含むＩＫＥ＿ＡＵＴＨ応答メッセージを前記端末装置に送信する
ことを特徴とするゲートウェイ装置。
【請求項１１】
ゲートウェイ装置であって、
ＰＤＮコネクションを確立するために端末装置が送信するＩＫＥ＿ＡＵＴＨ要求メッセージを受信する送受信部を有し、
前記送受信部は、前記ＩＫＥ＿ＡＵＴＨ要求メッセージに対する応答として、緊急通信サービスをサポートする前記ゲートウェイ装置とはことなるゲートウェイ装置の情報を少なくとも含むＩＫＥ＿ＡＵＴＨ応答メッセージを前記端末装置に送信する
ことを特徴とするゲートウェイ装置。
【請求項１２】
端末装置の通信制御方法であって、
第１のゲートウェイ装置が緊急通信サービスをサポートしているか否かに基づいて第１のＰＤＮコネクションを切断するためにデタッチ手続きを開始し、
前記第１のＰＤＮコネクションは、前記第１のゲートウェイ装置を介して確立するＰＤＮコネクションであり、
前記デタッチ手続きの完了に基づいて、第２のＰＤＮコネクションを確立するための要求メッセージを第２のゲートウェイ装置に送信し、
前記第２のＰＤＮコネクションは緊急通信サービス用のＰＤＮコネクションであり、
前記第２のゲートウェイは、緊急通信サービスをサポートするゲートウェイである
ことを特徴とする端末装置の通信制御方法。
【請求項１３】
前記第１及び第２のゲートウェイ装置は、Ｕｎｔｒｕｓｔｅｄ  Ｎｏｎ３ＧＰＰ  Ａｃｃｅｓｓ  Ｎｅｔｗｏｒｋとコアネットワークを接続するゲートウェイ装置であり、
前記要求メッセージはＩＫＥ＿ＡＵＴＨメッセージである
ことを特徴とする請求項１２に記載の端末装置の通信制御方法。
【請求項１４】
前記第1及び第２のゲートウェイ装置は、Ｔｒｕｓｔｅｄ  Ｎｏｎ３ＧＰＰ  Ａｃｃｅｓｓ  Ｎｅｔｗｏｒｋとコアネットワークを接続するゲートウェイ装置であり、
前記要求メッセージはＰＤＮ  Ｃｏｎｎｅｃｔｉｖｉｔｙ  Ｒｅｑｕｅｓｔメッセージである
ことを特徴とする請求項１２に記載の端末装置の通信制御方法。
【請求項１５】
第1のゲートウェイ装置からのＩＫＥ＿ＡＵＴＨ応答メッセージの受信に基づいて前記第1のＰＤＮコネクションを確立し、
前記ＩＫＥ＿ＡＵＴＨ応答メッセージに第1のゲートウェイ装置が緊急通信サービスをサポートすることを示す情報が含まれていない場合には、前記デタッチ手続きを開始する
ことを特徴とする請求項１３に記載の端末装置の通信制御方法。
【請求項１６】
第1のゲートウェイ装置からのＩＫＥ＿ＡＵＴＨ応答メッセージの受信に基づいて前記第1のＰＤＮコネクションを確立し、
前記ＩＫＥ＿ＡＵＴＨ応答メッセージに第1のゲートウェイ装置が緊急通信サービスをサポートすることを示す情報が含まれている場合には、前記デタッチ手続きを開始せず、
前記第２のＰＤＮコネクションを確立するためにＩＫＥ＿ＡＵＴＨ要求メッセージを前記第１のゲートウェイ装置に送信する
ことを特徴とする請求項１３に記載の端末装置の通信制御方法。
【請求項１７】
前記ＩＫＥ＿ＡＵＴＨ応答メッセージに含まれる第２のゲートウェイ装置が緊急通信サービスをサポートすることを示す情報を受信する
ことを特徴とする請求項１５に記載の端末装置の通信制御方法。
【請求項１８】
第1のゲートウェイ装置からのＰＤＮ  Ｃｏｎｎｅｃｔｉｖｉｔｙ  Ａｃｃｅｐｔメッセージの受信に基づいて前記第1のＰＤＮコネクションを確立し、
前記ＰＤＮ  Ｃｏｎｎｅｃｔｉｖｉｔｙ  Ａｃｃｅｐｔメッセージに第1のゲートウェイ装置が緊急通信サービスをサポートすることを示す情報が含まれていない場合には、前記デタッチ手続きを開始する
ことを特徴とする請求項１４に記載の端末装置の通信制御方法。
【請求項１９】
第1のゲートウェイ装置からのＰＤＮ  Ｃｏｎｎｅｃｔｉｖｉｔｙ  Ａｃｃｅｐｔメッセージの受信に基づいて前記第1のＰＤＮコネクションを確立し、
前記ＩＫＥ＿ＡＵＴＨ応答メッセージに第1のゲートウェイ装置が緊急通信サービスをサポートすることを示す情報が含まれている場合には、前記デタッチ手続きを開始せず、
前記第２のＰＤＮコネクションを確立するためにＰＤＮ  Ｃｏｎｎｅｃｔｉｖｉｔｙ要求メッセージを前記第１のゲートウェイ装置に送信する
ことを特徴とする請求項１４に記載の端末装置の通信制御方法。
【請求項２０】
前記ＰＤＮ  Ｃｏｎｎｅｃｔｉｖｉｔｙ  Ａｃｃｅｐｔメッセージに含まれる第２のゲートウェイ装置が緊急通信サービスをサポートすることを示す情報を受信する
ことを特徴とする請求項１８に記載の端末装置の通信制御方法。
【請求項２１】
ゲートウェイ装置の通信制御方法であって、
ＰＤＮコネクションを確立するために端末装置が送信するＩＫＥ＿ＡＵＴＨ要求メッセージを受信し、
前記ＩＫＥ＿ＡＵＴＨ要求メッセージに対する応答として、前記ゲートウェイ装置が緊急通信サービスをサポートすることを示す情報を少なくとも含むＩＫＥ＿ＡＵＴＨ応答メッセージを前記端末装置に送信する
ことを特徴とするゲートウェイ装置の通信制御方法。
【請求項２２】
ゲートウェイ装置の通信制御方法であって、
ＰＤＮコネクションを確立するために端末装置が送信するＩＫＥ＿ＡＵＴＨ要求メッセージを受信し、
前記ＩＫＥ＿ＡＵＴＨ要求メッセージに対する応答として、緊急通信サービスをサポートする前記ゲートウェイ装置とはことなるゲートウェイ装置の情報を少なくとも含むＩＫＥ＿ＡＵＴＨ応答メッセージを前記端末装置に送信する
ことを特徴とするゲートウェイ装置の通信制御方法。
【発明の詳細な説明】
【技術分野】
【０００１】
本発明は、端末装置、ゲートウェイ装置及び通信制御方法に関する。
【背景技術】
【０００２】
近年の移動通信システムの標準化活動を行う３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ）では、オールＩＰ化を実現する、非特許文献１に記載のＥＰＳ（Ｅｖｏｌｖｅｄ  Ｐａｃｋｅｔ  Ｓｙｓｔｅｍ）の仕様化を行っている。ＥＰＳは、移動通信事業者等が携帯電話サービスを提供するための移動通信システムであり、ＥＰＣ（Ｅｖｏｌｖｅｄ  Ｐａｃｋｅｔ  Ｃｏｒｅ）と呼ばれるコアネットワークやＬＴＥ（Ｌｏｎｇ  Ｔｅｒｍ  Ｅｖｏｌｕｔｉｏｎ）とよばれる無線通信規格に基づくアクセスネットワーク等を含めて構成されている。
【０００３】
更に、３ＧＰＰのＥＰＳの仕様化の中で、ＳＥＷ（Ｓｔｕｄｙ  ｏｎ  Ｓｙｓｔｅｍ  ｉｍｐａｃｔｓ  ｏｆ  ＩＭＳ  ｅｍｅｒｇｅｎｃｙ  ｓｅｓｓｉｏｎｓ  ｏｖｅｒ  ＷＬＡＮ）の検討が行われている（非特許文献１）。ＳＥＷでは、３ＧＰＰ以外のインターフェース（例えばＷＬＡＮ）を用いて接続するアクセスネットワークを介して緊急呼を確立する為の技術課題を整理し、解決することを目的としている。
【０００４】
より詳細には、ＳＥＷの検討では、ＩＭＳ（ＩＰ  Ｍｕｌｔｉｍｅｄｉａ  Ｓｕｂｓｙｓｔｅｍ）に基づくＥｍｅｒｇｅｎｃｙ  Ｃａｌｌ（緊急呼）の通信をするために、３ＧＰＰ以外のインターフェース（例えばＷＬＡＮ）を用いてコアネットワークに接続するアクセスネットワークに接続する端末装置の位置情報の取得方法や、緊急呼の音声通信を行うための通信路の確立方法などが検討されている。
【先行技術文献】
【非特許文献】
【０００５】
【非特許文献１】３ＧＰＰ  ＴＲ  ２３．７７１  Ｓｔｕｄｙ  ｏｎ  Ｓｙｓｔｅｍ  ｉｍｐａｃｔｓ  ｏｆ  ＩＭＳ  ｅｍｅｒｇｅｎｃｙ  ｓｅｓｓｉｏｎｓ  ｏｖｅｒ  ＷＬＡＮ（Ｒｅｌｅａｓｅ  １３）
【発明の概要】
【発明が解決しようとする課題】
【０００６】
ＳＥＷでは、ＩＭＳ  Ｅｍｅｒｇｅｎｃｙ  Ｓｅｓｓｉｏｎを確立して緊急呼データを送受信するための通信路を確立するための詳細な手続きが規定されていない。
【０００７】
より具体的には、端末装置が主導する緊急通信サービスのためのＰＤＮコネクションを、ＷＬＡＮアクセスネットワークを介して確立する手続きの詳細が明らかになっていない。
【０００８】
本発明は、このような事情を鑑みてなされたもので、その目的は、緊急通信サービスのためのＰＤＮコネクションを、ＷＬＡＮアクセスネットワークを介して確立する通信制御手続きと緊急通信サービスのためのＰＤＮコネクションを用いた通信制御の好適な実現手段を提供することである。
【課題を解決するための手段】
【０００９】
本発明の端末装置は、第１のゲートウェイ装置が緊急通信サービスをサポートしているか否かに基づいて第１のＰＤＮコネクションを切断するためにデタッチ手続きを開始する制御部と、第１のＰＤＮコネクションは、第１のゲートウェイ装置を介して確立するＰＤＮコネクションであり、制御部は、デタッチ手続きの完了に基づいて、第２のＰＤＮコネクションを確立するための要求メッセージを第２のゲートウェイ装置に送信する送受信部を有し、第２のＰＤＮコネクションは緊急通信サービス用のＰＤＮコネクションであり、第２のゲートウェイは、緊急通信サービスをサポートするゲートウェイである
ことを特徴とする。
【００１０】
本発明のゲートウェイ装置は、ＰＤＮコネクションを確立するために端末装置が送信するＩＫＥ＿ＡＵＴＨ要求メッセージを受信する送受信部を有し、送受信部は、ＩＫＥ＿ＡＵＴＨ要求メッセージに対する応答として、ゲートウェイ装置が緊急通信サービスをサポートすることを示す情報を少なくとも含むＩＫＥ＿ＡＵＴＨ応答メッセージを端末装置に送信することを特徴とする。
【００１１】
本発明の端末装置の通信制御方法は、第１のゲートウェイ装置が緊急通信サービスをサポートしているか否かに基づいて第１のＰＤＮコネクションを切断するためにデタッチ手続きを開始し、第１のＰＤＮコネクションは、第１のゲートウェイ装置を介して確立するＰＤＮコネクションであり、デタッチ手続きの完了に基づいて、第２のＰＤＮコネクションを確立するための要求メッセージを第２のゲートウェイ装置に送信し、第２のＰＤＮコネクションは緊急通信サービス用のＰＤＮコネクションであり、第２のゲートウェイは、緊急通信サービスをサポートするゲートウェイであることを特徴とする。
【００１２】
本発明のゲートウェイ装置の通信制御方法は、ＰＤＮコネクションを確立するために端末装置が送信するＩＫＥ＿ＡＵＴＨ要求メッセージを受信し、ＩＫＥ＿ＡＵＴＨ要求メッセージに対する応答として、ゲートウェイ装置が緊急通信サービスをサポートすることを示す情報を少なくとも含むＩＫＥ＿ＡＵＴＨ応答メッセージを端末装置に送信することを特徴とする。
【発明の効果】
【００１３】
本発明によれば、端末装置は緊急呼データを送受信するための通信路を確立することができる。
【図面の簡単な説明】
【００１４】
【図１】移動通信システムの概略を説明するための図である。
【図２】移動通信システムの構成等を説明するための図である。
【図３】ｅＰＤＧの機能構成を説明するための図である。
【図４】ｅＰＤＧの記憶部の構成を説明するための図である。
【図５】ＵＥの機能構成を説明するための図である。
【図６】ＵＥの記憶部の構成を説明するための図である。
【図７】ＰＧＷの機能構成を説明するための図である。
【図８】ＰＧＷの記憶部の構成を説明するための図である。
【図９】緊急サービス用通信路を確立するための手続きを説明するための図である。
【図１０】アタッチ手続き例を説明するための図である。
【図１１】緊急通信サービス用のＰＤＮコネクション確立手続き例を説明するための図である。
【図１２】ＩＭＳ登録手続き例を説明するための図である。
【図１３】デタッチ手続き例を説明するための図である。
【図１４】移動通信システムの構成の詳細を説明するための図である。
【発明を実施するための形態】
【００１５】
［１．第１の実施形態］
以下、図面を参照しながら本発明の実施形態による無線通信技術について詳細に説明する。
【００１６】
［１．１．システム概要］
図１は、本実施形態における移動通信システムの概略を説明するための図である。本図に示すように、移動通信システム９は、端末装置であるＵＥ＿Ａ１０と、アクセスネットワークＢ（ＷＬＡＮ  ＡＮｂ）７５に含まれるアクセスポイントＷＬＡＮ  ＡＰｂ（ＷＬＡＮ  Ａｃｃｅｓｓ  Ｐｏｉｎｔ）＿Ａ７６と、コアネットワーク＿Ａ９０に含まれるｅＰＤＧ（Ｅｖｏｌｖｅｄ  Ｐａｃｋｅｔ  Ｄａｔａ  Ｇａｔｅｗａｙ）＿Ａ６５とＰＧＷ（ＰＤＮ  Ｇａｔｅｗａｙ）＿Ａ３０と、ＩＭＳネットワーク＿Ａ１１０に含まれるＰ−ＣＳＣＦ（Ｐｒｏｘｙ−Ｃａｌｌ  Ｓｅｓｓｉｏｎ  Ｃｏｎｔｒｏｌ  Ｆｕｎｃｔｉｏｎ）＿Ａ１１２により構成される。ここで、ＩＭＳネットワーク＿Ａ１１０はＰＤＮ＿Ａ１００に含まれていてよい。
【００１７】
ここで、ＵＥ＿Ａ１０は端末装置であればよく、ＵＥ（Ｕｓｅｒ  Ｅｑｕｉｐｍｅｎｔ）又は、ＭＥ（Ｍｏｂｉｌｅ  Ｅｑｕｉｐｍｅｎｔ）又はＭＳ（Ｍｏｂｉｌｅ  Ｓｔａｔｉｏｎ）であってもよい。
【００１８】
また、アクセスネットワークＢ７５はＷＬＡＮ（Ｗｉｒｅｌｅｓｓ  ＬＡＮ）のアクセスネットワークであってもよい。ｅＰＤＧ＿Ａ６５は、コアネットワーク＿Ａ９０内のＰＧＷ＿Ａ３０と接続する、コアネットワーク＿Ａ９０とＷＬＡＮアクセスネットワークＢ７５間を接続するゲートウェイであってもよい。また、ｅＰＤＧ＿Ａ６５は、コアネットワーク＿Ａ９０内のＰＧＷ＿Ａ３０と接続する、コアネットワーク＿Ａ９０とＵＥ＿Ａ１０間を、アクセスネットワークＢ７５間を介して接続するゲートウェイであってもよい。
【００１９】
本実施形態において、ＵＥ＿Ａ１０はアクセスネットワークＢ７５を介してＰＧＷ＿Ａ３０とＵＥ＿Ａ１０間のＧＴＰ／ＰＭＩＰｖ６転送路を用いてＰＤＮコネクションを確立することができる。なお、転送路はベアラであってもよい。
【００２０】
また、ＵＥ＿Ａ１０はアクセスネットワークＢ７５とコアネットワーク＿Ａ９０を介してＰ−ＣＳＣＦ＿Ａ１１２とＵＥ＿Ａ１０間のＩＭＳ接続を、ＰＤＮコネクションを用いて確立することができる。
【００２１】
ここで、コアネットワーク＿Ａ９０は、移動通信事業者（Ｍｏｂｉｌｅ  Ｏｐｅｒａｔｏｒ）が運用する通信ネットワークのことであってよい。
【００２２】
例えば、コアネットワーク＿Ａ９０は移動通信システム９を運用、管理する移動通信事業者のためのコアネットワークであってもよい、又はＭＶＮＯ（Ｍｏｂｉｌｅ  Ｖｉｒｔｕａｌ  Ｎｅｔｗｏｒｋ  Ｏｐｅｒａｔｏｒ）等の仮想移動通信事業者のためのコアネットワークであってもよい。
【００２３】
ＭＭＥ＿Ａ４０は、ＭＭＥ（Ｍｏｂｌｉｔｙ  Ｍａｎａｇｅｍｅｎｔ  Ｅｎｔｉｔｙ）であり、アクセスネットワークＡを介してＵＥ＿Ａ１０の位置管理及びアクセス制御を行う制御装置である。ＭＭＥ＿Ａ４０の詳細は後に説明する。
【００２４】
また、ＳＧＷ＿Ａ３５は、ＳＧＷ（Ｓｅｒｖｉｎｇ  Ｇａｔｅｗａｙ）であり、コアネットワーク＿Ａ９０とアクセスネットワークＡ間のゲートウェイ装置であり、ＵＥ＿Ａ１０とＰＧＷ＿Ａ３０間のユーザデータの転送を行う。
【００２５】
ｅＰＤＧ＿Ａ６５は、ｅＰＤＧ（Ｅｖｏｌｖｅｄ  Ｐａｃｋｅｔ  Ｄａｔａ  Ｇａｔｅｗａｙ）であり、コアネットワーク＿Ａ９０とアクセスネットワークＢ７５間のゲートウェイ装置である、ｅＰＤＧは、ＵＥ＿Ａ１０とＰＧＷ＿Ａ３０間のユーザデータの転送を行う。
【００２６】
なお、コアネットワーク＿Ａ９０には複数のｅＰＤＧが含まれて配置されてよい。例えば、ｅＰＤＧ＿Ａ６５とは異なるｅＰＤＧ＿Ｂ６６が配置されてよい。なお、ｅＰＤＧ＿Ｂ６６の構成はｅＰＤＧ＿Ａ６５と同様の構成であってよい。また、コアネットワーク＿Ａ９０には、緊急通信サービスを提供する能力を有するｅＰＤＧと、緊急通信サービスを提供する能力を有さないｅＰＤＧが配置されてよい。
【００２７】
ここで、緊急通信サービスとは、Ｅｍｅｒｇｅｎｃｙ  Ｃａｌｌ(緊急呼)を確立した音声通信サービスであってよい。なお、緊急通信サービスのためのデータ送受信は、緊急通信サービス用のＰＤＮコネクションを用いてデータ送受信されるよう設定されてもよい。
【００２８】
また、ＰＧＷ＿Ａ３０は、ＰＧＷ（Ｐａｃｋｅｔ  Ｄａｔａ  Ｇａｔｅｗａｙ）であり、ＵＥ＿Ａ１０に通信サービスを提供するパケットデータサービス網（ＰＤＮ：Ｐａｃｋｅｔ  Ｄａｔａ  Ｎｅｔｗｏｒｋ）のゲートウェイ装置である。
【００２９】
本実施形態では、ＵＥ＿Ａ１０は、緊急通信サービスのためのＰＤＮコネクション及び又は緊急通信サービスのためのＩＭＳセッションを確立することができる。
【００３０】
緊急通信サービスのためのＰＤＮコネクションとは、緊急通信サービス用のＩＭＳのセッションを確立するための制御情報の送受信、及び又は、緊急通信サービス用のＩＭＳのセッションを用いたユーザデータの送受信に用いるためのＰＤＮコネクションである。
【００３１】
緊急通信サービス用のＩＭＳ接続は、緊急通信のためのＰＤＮコネクション上のユーザデータとして、確立される接続であってよい。ここで、緊急通信サービスとは、緊急電話（Ｅｍｅｒｇｅｎｃｙ  Ｃａｌｌ）等のサービスであってよい。つまり、緊急通信サービス用のＩＭＳ接続は、緊急電話のために利用されるＩＭＳ接続であってもよい。
【００３２】
次に、コアネットワーク＿Ａ９０の構成例を説明する。図２は通信システム９の構成例を示す。通信システム９は、図２のように、ＰＤＮ＿Ａ１００と、ＩＰ移動通信ネットワーク５とＵＥとで構成されてよい。さらに、ＩＰ移動通信ネットワーク５は、コアネットワーク＿Ａ９０と、一又は複数のアクセスネットワークとが接続されて構成されてよい。さらに、コアネットワーク＿Ａ９０は、ＨＳＳ（Ｈｏｍｅ  Ｓｕｂｓｃｒｉｂｅｒ  Ｓｅｒｖｅｒ）＿Ａ５０、ＡＡＡ（Ａｕｔｈｅｎｔｉｃａｔｉｏｎ、  Ａｕｔｈｏｒｉｚａｔｉｏｎ、  Ａｃｃｏｕｎｔｉｎｇ）＿Ａ５５、ＰＣＲＦ（Ｐｏｌｉｃｙ  ａｎｄ  Ｃｈａｒｇｉｎｇ  Ｒｕｌｅｓ  Ｆｕｎｃｔｉｏｎ）＿Ａ６０、ＰＧＷ＿Ａ３０、ｅＰＤＧ（ｅｎｈａｎｃｅｄ  Ｐａｃｋｅｔ  Ｄａｔａ  Ｇａｔｅｗａｙ）＿Ａ６５、ＳＧＷ＿Ａ３５、ＭＭＥ＿Ａ４０、ＳＧＳＮ（Ｓｅｒｖｉｎｇ  ＧＰＲＳ  Ｓｕｐｐｏｒｔ  Ｎｏｄｅ）＿Ａ４５により構成される。
【００３３】
また、コアネットワーク＿Ａ９０は、複数の無線アクセスネットワーク（ＬＴＥ  ＡＮ＿Ａ８０、ＷＬＡＮ  ＡＮｂ７５、ＷＬＡＮ  ＡＮａ７０、ＵＴＲＡＮ＿Ａ２０、ＧＥＲＡＮ＿Ａ２５）に接続することができる。
【００３４】
無線アクセスネットワークは、複数の異なるアクセスネットワークで構成してもよいし、いずれか一つのアクセスネットワークでの構成であってもよい。さらに、ＵＥ＿Ａ１０は無線アクセスネットワークに無線接続することができる。
【００３５】
さらに、ＷＬＡＮアクセスシステムで接続可能なアクセスネットワークは、ｅＰＤＧ＿Ａ６５を介してコアネットワーク＿Ａ９０へ接続するＷＬＡＮアクセスネットワークｂ（ＷＬＡＮ  ＡＮｂ）７５と、ＰＧＷ＿Ａ３０とＰＣＲＦ＿Ａ６０とＡＡＡ＿Ａ５５とに接続するＷＬＡＮアクセスネットワークａ（ＷＬＡＮ  ＡＮａ）８０とが構成可能である。
【００３６】
なお、各装置はＥＰＳを利用した移動通信システムにおける従来の装置と同様に構成されるため、詳細な説明は省略する。以下、各装置の簡単な説明をする。
【００３７】
ＰＧＷ＿Ａ３０はＰＤＮ＿Ａ１００とＳＧＷ＿Ａ３５とｅＰＤＧ＿Ａ６５とＷＬＡＮ  ＡＮａ７０と、ＰＣＲＦ＿Ａ６０とＡＡＡ＿Ａ５５とに接続されており、ＰＤＮ＿Ａ１００とコアネットワーク＿Ａ９０のゲートウェイ装置としてユーザデータの転送を行う中継装置である。
【００３８】
ＳＧＷ＿Ａ３５は、ＰＧＷ＿Ａ３０とＭＭＥ＿Ａ４０とＬＴＥ  ＡＮ＿Ａ８０とＳＧＳＮ＿Ａ４５とＵＴＲＡＮ＿Ａ２０とに接続されており、コアネットワーク＿Ａ９０と３ＧＰＰのアクセスネットワーク（ＵＴＲＡＮ＿Ａ２０、ＧＥＲＡＮ＿Ａ２５、ＬＴＥ  ＡＮ＿Ａ８０）とのゲートウェイ装置としてユーザデータの転送を行う中継装置である。
【００３９】
ＭＭＥ＿Ａ４０は、ＳＧＷ＿Ａ３５とＬＴＥ  ＡＮ＿Ａ８０とＨＳＳ＿Ａ５０に接続されており、ＬＴＥ  ＡＮ＿Ａ８０を経由してＵＥ＿Ａ１０の位置情報管理と、アクセス制御を行うアクセス制御装置である。また、コアネットワーク＿Ａ９０には、複数の位置管理装置が含まれて構成されてもよい。例えば、ＭＭＥ＿Ａ４０とは異なる位置管理装置が構成されてもよい。ＭＭＥ＿Ａ４０とは異なる位置管理装置はＭＭＥ＿Ａ４０と同様にＳＧＷ＿Ａ３５とＬＴＥ  ＡＮ＿Ａ８０と、ＨＳＳ＿Ａ５０と接続されてもよい。
【００４０】
また、コアネットワーク＿Ａ９０内に複数のＭＭＥが含まれている場合、ＭＭＥ同士が接続されてもよい。これにより、ＭＭＥ間で、ＵＥ＿Ａ１０のコンテキストの送受信が行われてもよい。
【００４１】
ＨＳＳ＿Ａ５０はＭＭＥ＿Ａ４０とＡＡＡ＿Ａ５５とに接続されており、加入者情報の管理を行う管理ノードである。ＨＳＳ＿Ａ５０の加入者情報は、例えばＭＭＥ＿Ａ４０のアクセス制御の際に参照される。さらに、ＨＳＳ＿Ａ５０は、ＭＭＥ＿Ａ４０とは異なる位置管理装置と接続されていてもよい。
【００４２】
ＡＡＡ＿Ａ５５は、ＰＧＷ＿Ａ３０と、ＨＳＳ＿Ａ５０と、ＰＣＲＦ＿Ａ６０と、ＷＬＡＮ  ＡＮａ７０とに接続されており、ＷＬＡＮ  ＡＮａ７０を経由して接続するＵＥのアクセス制御を行う。
【００４３】
ＰＣＲＦ＿Ａ６０は、ＰＧＷ＿Ａ３０と、ＷＬＡＮ  ＡＮａ７５と、ＡＡＡ＿Ａ５５と、ＰＤＮ＿Ａ１００に接続されており、データ配送に対するＱｏＳ管理を行う。例えば、ＵＥ＿Ａ１０とＰＤＮ＿Ａ１００間の通信路のＱｏＳの管理を行う。
【００４４】
ｅＰＤＧ＿Ａ６５は、ＰＧＷ＿Ａ３０と、ＷＬＡＮ  ＡＮｂ７５とに接続されており、コアネットワーク＿Ａ９０と、ＷＬＡＮ  ＡＮｂ７５とのゲートウェイ装置としてユーザデータの配送を行う。
【００４５】
ＳＧＳＮ＿Ａ４５は、ＵＴＲＡＮ＿Ａ２０とＧＥＲＡＮ＿Ａ２５とＳＧＷ＿Ａ３５と接続されており、３Ｇ／２Ｇのアクセスネットワーク（ＵＴＲＡＮ／ＧＥＲＡＮ）とＬＴＥのアクセスネットワーク（Ｅ−ＵＴＲＡＮ）間の位置管理のための制御装置である。更に、ＳＧＳＮ＿Ａ４５は、ＰＧＷ及びＳＧＷの選択機能、ＵＥのタイムゾーンの管理機能、及びＥ−ＵＴＲＡＮへのハンドオーバー時のＭＭＥの選択機能を持つ。
【００４６】
また、図１４（ａ）に示すように、各無線アクセスネットワークには、ＵＥ＿Ａ１０が実際に接続される装置（例えば、基地局装置やアクセスポイント装置）等が含まれている。接続に用いられる装置は、無線アクセスネットワークに適応した装置が考えられる。
【００４７】
本実施形態においては、ＬＴＥ  ＡＮ＿Ａ８０はｅＮＢ＿Ａ４５を含んで構成されるＥ−ＵＲＡＮであってよい。ｅＮＢ＿Ａ４５はＬＴＥアクセスシステムでＵＥ＿Ａ１０が接続する無線基地局であり、ＬＴＥ  ＡＮ＿Ａ８０には１又は複数の無線基地局が含まれて構成されてもよい。
【００４８】
ＷＬＡＮ  ＡＮａ７０は信頼性のあるアクセスネットワーク（Ｔｒｕｓｔｅｄ  Ｎｏｎ−３ＧＰＰ  Ａｃｃｅｓｓ  Ｎｅｔｗｏｒｋ）であり、ＷＬＡＮ  ＡＰａ７２と、ＴＷＡＧ＿Ａ７４とが含まれて構成される。ＷＬＡＮ  ＡＰａ７２はコアネットワーク＿Ａ９０を運営する事業者に対して信頼性のあるＷＬＡＮアクセスシステムで、ＵＥ＿Ａ１０が接続する無線基地局であり、ＷＬＡＮ  ＡＮａ７０には１又は複数の無線基地局を含んで構成されてもよい。ＧＷ７４はコアネットワーク＿Ａ９０とＷＬＡＮ  ＡＮａ７０のゲートウェイ装置である。また、ＷＬＡＮ  ＡＰａ７２とＧＷ７４とは、単一の装置で構成されてもよい。
【００４９】
コアネットワーク＿Ａ９０を運営する事業者とＷＬＡＮ  ＡＮａ７０を運営する事業者が異なる場合でも、事業者間の契約や規約によりこのような構成の実現が可能となる。
【００５０】
また、ＷＬＡＮ  ＡＮｂ７５は信頼性が確立していないアクセスネットワーク（Ｕｎｔｒｕｓｔｅｄ  Ｎｏｎ−３ＧＰＰ  Ａｃｃｅｓｓ  Ｎｅｔｗｏｒｋ）であり、ＷＬＡＮ  ＡＰｂ７６を含んで構成される。ＷＬＡＮ  ＡＰｂ７６はコアネットワーク＿Ａ９０を運営する事業者に対して信頼関係が結ばれていない場合に、ＷＬＡＮアクセスシステムでＵＥ＿Ａ１０が接続する無線基地局であり、ＷＬＡＮ  ＡＮｂ７５は１又は複数の無線基地局が含まれて構成されてもよい。
【００５１】
このように、ＷＬＡＮ  ＡＮｂ７５はコアネットワーク＿Ａ９０に含まれる装置であるｅＰＤＧ＿Ａ６５をゲートウェイとしてコアネットワーク＿Ａ９０に接続される。ｅＰＤＧ＿Ａ６５は通信の安全性を確保するためのセキュリティー機能を持つ。
【００５２】
ＵＴＲＡＮ＿Ａ２０は、ＲＮＣ（Ｒａｄｉｏ  Ｎｅｔｗｏｒｋ  Ｃｏｎｔｒｏｌｌｅｒ）＿Ａ２４とｅＮＢ（ＵＴＲＡＮ）＿Ａ２２を含んで構成される。ｅＮＢ（ＵＴＲＡＮ）＿Ａ２２は、ＵＴＲＡ（ＵＭＴＳ  Ｔｅｒｒｅｓｔｒｉａｌ  Ｒａｄｉｏ  Ａｃｃｅｓｓ）でＵＥ＿Ａ１０が接続する無線基地局であり、ＵＴＲＡＮ＿Ａ２０には１又は複数の無線基地局が含まれて構成されてもよい。またＲＮＣ＿Ａ２４は、コアネットワーク＿Ａ９０とｅＮＢ（ＵＴＲＡＮ）＿Ａ２２を接続する制御部であり、ＵＴＲＡＮ＿Ａ２０には１又は複数のＲＮＣが含まれて構成されてもよい。また、ＲＮＣ＿Ａ２４は１つ又は複数のｅＮＢ（ＵＴＲＡＮ）と接続されてもよい。更に、ＲＮＣ＿Ａ２４は、ＧＥＲＡＮ＿Ａ２５に含まれる無線基地局（ＢＳＳ（Ｂａｓｅ  Ｓｔａｔｉｏｎ  Ｓｕｂｓｙｓｔｅｍ）＿Ａ２６）と接続されもてもよい。
【００５３】
ＧＥＲＡＮ＿Ａ２５は、ＢＳＳ＿Ａ２６を含んで構成される。ＢＳＳ＿Ａ２６は、ＧＥＲＡ（ＧＳＭ／ＥＤＧＥ  Ｒａｄｉｏ  Ａｃｃｅｓｓ）でＵＥ＿Ａ１０が接続する無線基地局であり、ＧＥＲＡＮ＿Ａ２５には１又は複数の無線基地局ＢＳＳで構成されてもよい。また、複数のＢＳＳは互いに接続しあっていてもよい。またＢＳＳ＿Ａ２６はＲＮＣ＿Ａ２４と接続してもよい。
【００５４】
また、図１４（ｂ）に示すように、ＰＤＮ＿Ａ１００には、ＵＥ＿Ａ１０がＰＤＮコネクション確立後に接続するサービスネットワーク（ＩＭＳネットワーク＿Ａ１１０等）や装置等が含まれている。
【００５５】
本実施形態においては、ＩＭＳネットワーク＿Ａ１１０は音声通話サービスを提供するサービスネットワークであってよい。ＩＭＳネットワーク＿Ａ１１０はＰ−ＣＳＣＦ＿Ａ１１２を含んで構成されてよい。ＩＭＳネットワーク＿Ａ１１０はアクセスネットワークＢ７５を介した緊急通信サービスを許可するサービスネットワークであってよい。
【００５６】
なお、本明細書において、ＵＥ＿Ａ１０が各無線アクセスネットワークに接続されるという事は、各無線アクセスネットワークに含まれる基地局装置やアクセスポイント等に接続される事としており、送受信されるデータや信号等も、基地局装置やアクセスポイントを経由している。
【００５７】
［１．２．装置構成］
以下、各装置の構成について説明する。
【００５８】
［１．２．１．ｅＰＤＧ構成］
まず、ｅＰＤＧ＿Ａ６５の構成について説明する。図３にｅＰＤＧ＿Ａ６５の装置構成を示す。図に示すように、ｅＰＤＧ＿Ａ６５はネットワーク接続部＿Ａ３２０と、制御部＿Ａ３００と記憶部＿Ａ３４０で構成されている。ネットワーク接続部＿Ａ３２０と記憶部＿Ａ３４０は制御部＿Ａ３００と、バスを介して接続されている。
【００５９】
制御部＿Ａ３００はｅＰＤＧ＿Ａ６５を制御するための機能部である。制御部＿Ａ３００は、記憶部＿Ａ３４０に記憶されている各種プログラムを読みだして実行することにより各種処理を実現する。
【００６０】
ネットワーク接続部＿Ａ３２０はユーザデータ及び又は制御メッセージを送受信するデータ送受信部であり、ｅＰＤＧ＿Ａ６５が、ＰＧＷ＿Ａ３０及び又はＵＥ＿Ａ１０及び又はＡＡＡ＿Ａ５５及び又はＷＬＡＮ＿ＡＰｂ７６と接続するための機能部である。ネットワーク接続部＿Ａ３２０は、送信部と受信部で構成されてもよい。
【００６１】
記憶部＿Ａ３４０は、ｅＰＤＧ＿Ａ６５の各動作に必要なプログラムや、データ等を記憶する機能部である。記憶部＿Ａ３４０は、例えば、半導体メモリや、ＨＤＤ（Ｈａｒｄ  Ｄｉｓｋ  Ｄｒｉｖｅ）等により構成されている。
【００６２】
図３に示すように、記憶部＿Ａ３４０はｅＰＤＧ  ｅｍｅｒｇｅｎｃｙ  ｃａｐａｂｉｌｉｔｙ＿Ａ３４２と、Ｅｍｅｒｇｅｎｃｙ  ｎｕｍｂｅｒ  ｌｉｓｔ＿Ａ３４４、Ｅｍｅｒｇｅｎｃｙ  Ｃｏｎｆｉｇｕｒａｔｉｏｎ  Ｄａｔａ＿Ａ３４６、ＥＰＳベアラコンテキスト＿Ａ３４８を記憶する。以下、記憶部＿Ａ３４０で記憶される情報要素について説明する。なお、ＥＰＳベアラコンテキスト＿Ａ３４８は、ＰＤＮコネクションごとのＥＰＳベアラコンテキストと転送路及び又はベアラごとのＥＰＳベアラコンテキストに分類される。
【００６３】
図４に、記憶部＿Ａ３４０で記憶される情報要素を示す。図４（ａ）にｅＰＤＧ  ｅｍｅｒｇｅｎｃｙ  ｃａｐａｂｉｌｉｔｙ＿Ａ３４２を示す。ｅＰＤＧ  ｅｍｅｒｇｅｎｃｙ  ｃａｐａｂｉｌｉｔｙ＿Ａ３４２は、少なくともｅＰＤＧ  ＩＤとＥｍｅｒｇｅｎｃｙ  ｃａｐａｂｉｌｉｔｙから構成されてもよい。
【００６４】
ここで、ｅＰＤＧ  ＩＤはｅＰＤＧ＿Ａ６５を識別する情報であってよい。つまり、ｅＰＤＧ  ＩＤは自装置を識別する識別情報であってよい。
【００６５】
Ｅｍｅｒｇｅｎｃｙ  ｃａｐａｂｉｌｉｔｙは、ｅＰＤＧが緊急通信サービスをサポートしているか否かを示す識別情報であってよい。より具体的には、ｅＰＤＧごとに緊急通信のためのＰＤＮコネクション確立をサポートしているか否かを示す識別情報であってよい。言い換えれば、Ｅｍｅｒｇｅｎｃｙ  ｃａｐａｂｉｌｉｔｙは、ｅＰＤＧごとに緊急通信サービスをサポートしているか否かを示す識別情報であってよい。より具体的には、例えば、Ｅｍｅｒｇｅｎｃｙ  ｃａｐａｂｉｌｉｔｙには、“ａｌｌｏｗｅｄ”又は”Ｎｏｔ  ａｌｌｏｗｅｄ”が含まれてもよい。また、Ｅｍｅｒｇｅｎｃｙ  ｃａｐａｂｉｌｉｔｙはＥｍｅｒｇｅｎｃｙ  ｎｕｍｂｅｒ  ｌｉｓｔであってもよい。
【００６６】
このように、Ｅｍｅｒｇｅｎｃｙ  ｃａｐａｂｉｌｉｔｙは緊急通信サービスをサポートする能力情報であってよい。ｅＰＤＧ＿Ａ６５は、緊急通信サービスをサポートする場合には、Ｅｍｅｒｇｅｎｃｙ  ｃａｐａｂｉｌｉｔｙを“ａｌｌｏｗｅｄ”と記憶し、緊急通信サービスをサポートしていない場合には、”Ｎｏｔ  ａｌｌｏｗｅｄ”と記憶してよい。
【００６７】
もしくは、Ｅｍｅｒｇｅｎｃｙ  ｃａｐａｂｉｌｉｔｙは、緊急通信サービスをサポートする場合に記憶する情報であってもよい。つまり、Ｅｍｅｒｇｅｎｃｙ  ｃａｐａｂｉｌｉｔｙの有無により、緊急通信サービスをサポートしているか否かを識別するように設定されてもよい。例えば、ｅＰＤＧ＿Ａ６５は、緊急通信サービスをサポートする場合には、Ｅｍｅｒｇｅｎｃｙ  ｃａｐａｂｉｌｉｔｙを記憶し、緊急通信サービスをサポートしていない場合には、Ｅｍｅｒｇｅｎｃｙ  ｃａｐａｂｉｌｉｔｙを記憶しなくてもよい。
【００６８】
なお、Ｅｍｅｒｇｅｎｃｙ  ｃａｐａｂｉｌｉｔｙは、ｅＰＤＧ＿Ａ６５を識別するｅＰＤＧ  ＩＤと対応づけられていてよい。
【００６９】
このように、ｅＰＤＧ  ｅｍｅｒｇｅｎｃｙ  ｃａｐａｂｉｌｉｔｙ＿Ａ３４２は、ｅＰＤＧ＿Ａ６５が緊急通信のためのＰＤＮコネクションを確立する能力を持つことを示す識別情報であってもよい。つまり、ｅＰＤＧ＿Ａ６５の記憶部＿Ａ３４０にｅＰＤＧ  ｅｍｅｒｇｅｎｃｙ  ｃａｐａｂｉｌｉｔｙ＿Ａ３４２が存在することで、ｅＰＤＧ＿Ａ６５が緊急通信のためのＰＤＮコネクションを確立する機能を持つことを意味してもよい。
【００７０】
言い換えれば、ｅＰＤＧ  ｅｍｅｒｇｅｎｃｙ  ｃａｐａｂｉｌｉｔｙ＿Ａ３４２は、ｅＰＤＧ＿Ａ６５が緊急通信サービスをサポートすることを示す識別情報であってもよい。つまり、ｅＰＤＧ＿Ａ６５の記憶部＿Ａ３４０にｅＰＤＧ  ｅｍｅｒｇｅｎｃｙ  ｃａｐａｂｉｌｉｔｙ＿Ａ３４２が存在することで、ｅＰＤＧ＿Ａ６５が緊急通信サービスをサポートすることを意味してもよい。
【００７１】
図４（ｂ）にＥｍｅｒｇｅｎｃｙ  ｎｕｍｂｅｒ  ｌｉｓｔ＿Ａ３４４を示す。Ｅｍｅｒｇｅｎｃｙ  ｎｕｍｂｅｒ  ｌｉｓｔ＿Ａ３４４は、少なくともＥｍｅｒｇｅｎｃｙ  ｎｕｍｂｅｒ  ｌｉｓｔから構成されてもよい。
【００７２】
Ｅｍｅｒｇｅｎｃｙ  ｎｕｍｂｅｒ  ｌｉｓｔは、Ｅｍｅｒｇｅｎｃｙ  Ｃａｌｌのための有効なＥｍｅｒｇｅｎｃｙ  ｎｕｍｂｅｒが入ったリストである。Ｅｍｅｒｇｅｎｃｙ  ｎｕｍｂｅｒ  ｌｉｓｔ中のＥｍｅｒｇｅｎｃｙ  ｎｕｍｂｅｒは、緊急電話のための電話番号であってもよく、緊急通信サービスを提供するサーバを識別する情報であってもよい。つまり、Ｅｍｅｒｇｅｎｃｙ  ｎｕｍｂｅｒには、緊急通信サービスを提供する能力を有する１つまたは複数のｅＰＤＧの識別情報が含まれてよい。
【００７３】
ｅＰＤＧ  ｅｍｅｒｇｅｎｃｙ  ｃａｐａｂｉｌｉｔｙ＿Ａ３４２とＥｍｅｒｇｅｎｃｙ  ｎｕｍｂｅｒ  ｌｉｓｔ＿Ａ３４４はＥＰＳベアラコンテキストに含まれていてもよいし、ＥＰＳベアラコンテキストから独立した情報であってもよい。つまり、ｅＰＤＧ＿Ａ６５はｅＰＤＧ  ｅｍｅｒｇｅｎｃｙ  ｃａｐａｂｉｌｉｔｙ＿Ａ３４２とＥｍｅｒｇｅｎｃｙ  ｎｕｍｂｅｒ  ｌｉｓｔ＿Ａ３４４をＥＰＳベアラコンテキストに含めて記憶してもよく、又はｅＰＤＧ  ｅｍｅｒｇｅｎｃｙ  ｃａｐａｂｉｌｉｔｙ＿Ａ３４２とＥｍｅｒｇｅｎｃｙ  ｎｕｍｂｅｒ  ｌｉｓｔ＿Ａ３４４をＥＰＳベアラコンテキストから独立して記憶してもよい。
【００７４】
図４（ｃ）にＥｍｅｒｇｅｎｃｙ  Ｃｏｎｆｉｇｕｒａｔｉｏｎ  Ｄａｔａ＿Ａ３４６を示す。Ｅｍｅｒｇｅｎｃｙ  Ｃｏｎｆｉｇｕｒａｔｉｏｎ  Ｄａｔａ＿Ａ３４６には、少なくともＥｍｅｒｇｅｎｃｙ  ＡＰＮ（Ａｃｃｅｓｓ  Ｐｏｉｎｔ  Ｎａｍｅ）及び又はＥｍｅｒｇｅｎｃｙ  ＱｏＳ  ｐｒｏｆｉｌｅ及び又はＥｍｅｒｇｅｎｃｙ  ＡＰＮ−ＡＭＢＲ及び又はＥｍｅｒｇｅｎｃｙ  ＰＧＷ  ＩＤ及び又は３ＧＰＰ  ＨＯ  Ｅｍｅｒｇｅｎｃｙ  ＰＧＷ  ＩＤが含まれてもよい。
【００７５】
Ｅｍｅｒｇｅｎｃｙ  ＡＰＮは、緊急通信のためのＰＤＮコネクションを確立するために利用されるＡＰＮを示す情報であってよい。ここで、ＡＰＮはサービス及び又はサービス網であるＰＤＮと対応づけられた情報である。言い換えると、ＡＰＮを用いてＰＤＮを識別することができる。したがって、ＡＰＮは、ＰＤＮとコアネットワークとを接続するＰＧＷを選択することができる識別情報である。
【００７６】
Ｅｍｅｒｇｅｎｃｙ  ＱｏＳ  ｐｒｏｆｉｌｅは、Ｅｍｅｒｇｅｎｃｙ  ＡＰＮによって確立されたＰＤＮコネクションのデフォルトベアラのＱｏＳを示す情報であってよい。
【００７７】
Ｅｍｅｒｇｅｎｃｙ  ＡＰＮ−ＡＭＢＲは、Ｅｍｅｒｇｅｎｃｙ  ＡＰＮに接続している全てのｎｏｎ−ＧＢＲベアラで共有している最大ビットレートを示す情報であってよい。
【００７８】
Ｅｍｅｒｇｅｎｃｙ  ＰＧＷ  ＩＤは、Ｅｍｅｒｇｅｎｃｙ  ＡＰＮのために利用されるＰＧＷを識別する情報である。Ｅｍｅｒｇｅｎｃｙ  ＰＧＷ  ＩＤは、ＦＱＤＮであってよく、ＩＰアドレスであってよい。
【００７９】
３ＧＰＰ  ＨＯ  Ｅｍｅｒｇｅｘｎｃｙ  ＰＧＷ  ＩＤは、ｎｏｎ−３ＧＰＰアクセスから３ＧＰＰアクセスへハンドオーバーをＰＬＭＮがサポートする際に、Ｅｍｅｒｇｅｎｃｙ  ＡＰＮのために利用されるＰＧＷを識別する情報である。３ＧＰＰ  ＨＯ  Ｅｍｅｒｇｅｎｃｙ  ＰＧＷ  ＩＤは、ＦＱＤＮであってよく、ＩＰアドレスであってよい。
【００８０】
また、図４（ｄ）にＰＤＮコネクションごとのＥＰＳベアラコンテキストを示す。ＰＤＮコネクションごとのＥＰＳベアラコンテキストには、ＡＰＮ  ｉｎ  ＵｓｅとｅＰＤＧ  ＭＡＣ  ａｄｄｒｅｓｓとＵｓｅｒ  Ｐｌａｎｅ  ｃｏｎｎｅｃｔｉｏｎ  ＩＤを含んでいるが含まれてもよい。
【００８１】
ＡＰＮ  ｉｎ  Ｕｓｅは、このＰＤＮコネクション確立に利用されたＡＰＮを示す。ここで、ＡＰＮは、ＤＮＳの命名規則に従い、ネットワークのアクセス先を示すラベルであってもよい。また、ＡＰＮ  ｉｎ  Ｕｓｅは、Ｅｍｅｒｇｅｎｃｙ  ＡＰＮが示すＡＰＮであってもよい。
【００８２】
ｅＰＤＧ  ＭＡＣ  ａｄｄｒｅｓｓはｅＰＤＧ＿Ａ６５の物理アドレスである。
【００８３】
Ｕｓｅｒ  ｐｌａｎｅ  ｃｏｎｎｅｃｔｉｏｎ  ＩＤは、ＵＥがｅＰＤＧ＿Ａ６５を介した転送路を確立した場合のユーザデータの伝送に用いる接続を識別する識別情報である。
【００８４】
図４（ｅ）に転送路及び又はベアラごとのＥＰＳベアラコンテキストの一例を示す。転送路及び又はベアラごとのＥＰＳベアラコンテキストには少なくとも転送路識別情報が含まれてもよい。
【００８５】
転送路識別情報は転送路及び又はベアラを識別する情報である。転送路識別情報は、例えばＥＰＳベアラＩＤであってもよい。
【００８６】
また、転送路識別情報はＴＦＴ（Ｔｒａｆｆｉｃ  Ｆｌｏｗ  Ｔｅｍｐｌａｔｅ）と対応付けられていてもよい。なお、ＴＦＴとは、通信フローの識別情報であってよい。
【００８７】
以上、ｅＰＤＧ＿Ａ６５の構成について説明をしてきたが、コアネットワーク＿Ａ９０に複数のｅＰＤＧが含まれて構成されている場合、これらのｅＰＤＧの構成は、ｅＰＤＧ＿Ａ６５の構成と同様であってよい。例えば、コアネットワーク＿Ａ９０にｅＰＤＧ＿Ａ６５とは異なるｅＰＤＧ＿Ｂ６６が含まれて構成されている場合、ｅＰＤＧ＿Ｂ６６の構成はｅＰＤＧ＿Ａ６５の構成と同様であってよい。
【００８８】
［１．２．２．ＵＥ構成］
次に、ＵＥ＿Ａ１０の構成について説明する。図５にＵＥ＿Ａ１０の装置構成を示す。図に示すように、ＵＥ＿Ａ１０はＬＴＥインターフェース部＿Ａ５２０と、ＷＬＡＮインターフェース部＿Ａ５４０と、制御部＿Ａ５００と記憶部＿Ａ５５０で構成されている。
【００８９】
ＬＴＥインターフェース部＿Ａ５２０とＷＬＡＮインターフェース部＿Ａ５４０と記憶部＿Ａ５５０は制御部＿Ａ５００と、バスを介して接続されている。
【００９０】
制御部＿Ａ５００はＵＥ＿Ａ１０を制御するための機能部である。制御部＿Ａ５００は、記憶部＿Ａ５５０に記憶されている各種プログラムを読みだして実行することにより各種処理を実現する。
【００９１】
ＬＴＥインターフェース部＿Ａ５２０は、ユーザデータ及び又は制御メッセージを送受信するデータ送受信部であり、ＵＥ＿Ａ１０がＬＴＥ基地局に接続し、ＩＰアクセスネットワークへ接続するための機能部である。また、ＬＴＥインターフェース部＿Ａ５２０には、外部アンテナ５１０が接続されている。ＬＴＥインターフェース部＿Ａ５２０は、送信部と受信部で構成されてもよい。
【００９２】
ＷＬＡＮインターフェース部＿Ａ５４０は、ユーザデータ及び又は制御メッセージを送受信するデータ送受信部であり、ＵＥ＿Ａ１０がＷＬＡＮ  ＡＰに接続し、ＩＰアクセスネットワークへ接続するための機能部である。また、ＷＬＡＮインターフェース部＿Ａ５４０には、外部アンテナ５３０が接続されている。ＷＬＡＮインターフェース部＿Ａ５２０は、送信部と受信部で構成されてもよい。
【００９３】
制御部＿Ａ５００はＵＥ＿Ａ１０を制御するための機能部である。制御部＿Ａ５００は、記憶部＿Ａ５５０に記憶されている各種プログラムを読みだして実行することにより各種処理を実現する。
【００９４】
記憶部５５０は、ＵＥ＿Ａ１０の各動作に必要なプログラムや、データ等を記憶する機能部である。記憶部＿Ａ５５０は、例えば、半導体メモリや、ＨＤＤ（Ｈａｒｄ  Ｄｉｓｋ  Ｄｒｉｖｅ）等により構成されている。
【００９５】
図５に示すように、記憶部＿Ａ５５０はｅＰＤＧ  ｅｍｅｒｇｅｎｃｙ  ｃａｐａｂｉｌｉｔｙ＿Ａ５５２と、Ｅｍｅｒｇｅｎｃｙ  ｎｕｍｂｅｒ  ｌｉｓｔ＿Ａ５５４、ＵＥコンテキスト＿Ａ５５６を記憶する。以下、記憶部＿Ａ５５０で記憶される情報要素について説明する。なお、ＵＥコンテキスト＿Ａ５５６は、ＵＥごとのＵＥコンテキストとＰＤＮコネクションごとのＵＥコンテキストと、転送路及び又はベアラごとのＵＥコンテキストに分類される。
【００９６】
図６に、記憶部＿Ａ５４０で記憶される情報要素を示す。図６（ａ）にｅＰＤＧ  ｅｍｅｒｇｅｎｃｙ  ｃａｐａｂｉｌｉｔｙ＿Ａ５５２を示す。ｅＰＤＧ  ｅｍｅｒｇｅｎｃｙ  ｃａｐａｂｉｌｉｔｙ＿Ａ５５２は、少なくともｅＰＤＧ  ＩＤとＥｍｅｒｇｅｎｃｙ  ｃａｐａｂｉｌｉｔｙから構成されてもよい。
【００９７】
ここで、ｅＰＤＧ  ＩＤはｅＰＤＧ＿Ａ６５を識別する情報であってよい。
【００９８】
Ｅｍｅｒｇｅｎｃｙ  ｃａｐａｂｉｌｉｔｙは、ｅＰＤＧごとに緊急通信のためのＰＤＮコネクション確立をサポートしているか否かを示す識別情報であってよい。言い換えれば、Ｅｍｅｒｇｅｎｃｙ  ｃａｐａｂｉｌｉｔｙは、ｅＰＤＧごとに緊急通信サービスをサポートしているか否かを示す識別情報であってよい。もしくは、ｅＰＤＧが緊急通信サービスのための機能をサポートしているか否かを示す識別情報であってよい。より具体的には、例えば、Ｅｍｅｒｇｅｎｃｙ  ｃａｐａｂｉｌｉｔｙには、“ａｌｌｏｗｅｄ”又は”Ｎｏｔ  ａｌｌｏｗｅｄ”が含まれてもよい。また、Ｅｍｅｒｇｅｎｃｙ  ｃａｐａｂｉｌｉｔｙはＥｍｅｒｇｅｎｃｙ  ｎｕｍｂｅｒ  ｌｉｓｔであってもよい。
【００９９】
なお、Ｅｍｅｒｇｅｎｃｙ  ｃａｐａｂｉｌｉｔｙは、ｅＰＤＧ＿Ａ６５を識別するｅＰＤＧ  ＩＤと対応づけられていてよい。
【０１００】
ｅＰＤＧ  ｅｍｅｒｇｅｎｃｙ  ｃａｐａｂｉｌｉｔｙ＿Ａ５５２は、ＵＥ＿Ａ１０がｅＰＤＧ＿Ａ６５を介して緊急通信のためのＰＤＮコネクションを確立する能力を持つことを示すＵＥの機能識別情報として利用されてもよい。つまり、ＵＥ＿Ａ１０の記憶部＿Ａ５５０にｅＰＤＧ  ｅｍｅｒｇｅｎｃｙ  ｃａｐａｂｉｌｉｔｙ＿Ａ５５２が存在することで、ＵＥ＿Ａ１０が緊急通信のためのＰＤＮコネクションを、ｅＰＤＧ  ＩＤで識別されるｅＰＤＧ＿Ａ６５を介して確立する機能を持つことを意味してもよい。
【０１０１】
言い換えれば、ｅＰＤＧ  ｅｍｅｒｇｅｎｃｙ  ｃａｐａｂｉｌｉｔｙ＿Ａ５５２は、ＵＥ＿Ａ１０が、ＷＬＡＮネットワークを介した緊急通信サービスをサポートすることを示す識別情報であってもよい。つまり、ＵＥ＿Ａ１０の記憶部＿Ａ５５０にｅＰＤＧ  ｅｍｅｒｇｅｎｃｙ  ｃａｐａｂｉｌｉｔｙ＿Ａ５５２が存在することで、ＵＥ＿Ａ１０がｅＰＤＧ  ＩＤで識別されるｅＰＤＧ＿Ａ６５を介して緊急通信サービスをサポートすることを意味してもよい。
【０１０２】
言い換えると、ＵＥ＿Ａ１０は、ＵＥ＿Ａ１０の記憶部＿Ａ５５０にｅＰＤＧ  ｅｍｅｒｇｅｎｃｙ  ｃａｐａｂｉｌｉｔｙ＿Ａ５５２が存在することで、ｅＰＤＧ  ＩＤで識別されるｅＰＤＧ＿Ａ６５を介して緊急通信サービス用のＩＭＳ接続を確立してもよい。
【０１０３】
図６（ｂ）にＥｍｅｒｇｅｎｃｙ  ｎｕｍｂｅｒ  ｌｉｓｔ＿Ａ５５４を示す。Ｅｍｅｒｇｅｎｃｙ  ｎｕｍｂｅｒ  ｌｉｓｔ＿Ａ５５４は、少なくともＥｍｅｒｇｅｎｃｙ  ｎｕｍｂｅｒ  ｌｉｓｔから構成されてもよい。
【０１０４】
Ｅｍｅｒｇｅｎｃｙ  ｎｕｍｂｅｒ  ｌｉｓｔは、Ｅｍｅｒｇｅｎｃｙ  Ｃａｌｌのための有効なＥｍｅｒｇｅｎｃｙ  ｎｕｍｂｅｒが入ったリストである。Ｅｍｅｒｇｅｎｃｙ  ｎｕｍｂｅｒ  ｌｉｓｔ中のＥｍｅｒｇｅｎｃｙ  ｎｕｍｂｅｒは、ＵＥ＿Ａ１０がＥｍｅｒｇｅｎｃｙ  ｎｕｍｂｅｒ  ｌｉｓｔを受け取った時点で位置する国でのみ有効である情報であってよい。また、Ｅｍｅｒｇｅｎｃｙ  ｎｕｍｂｅｒは緊急電話のための電話番号であってもよく、緊急通信サービスを提供するサーバを識別する情報であってもよい。
【０１０５】
ＵＥ＿Ａ１０は、Ｅｍｅｒｇｅｎｃｙ  ｎｕｍｂｅｒ  ｌｉｓｔ＿Ａ５５４中のＥｍｅｒｇｅｎｃｙ  ｎｕｍｂｅｒを、緊急通信サービス用のＩＭＳ接続を確立するために使用してもよい。
【０１０６】
言い換えると、ＵＥ＿Ａ１０は、Ｅｍｅｒｇｅｎｃｙ  ｎｕｍｂｅｒ  ｌｉｓｔ＿Ａ５５４中のＥｍｅｒｇｅｎｃｙ  ｎｕｍｂｅｒを使用して、緊急通信サービス用のＩＭＳ接続を確立してもよい。
【０１０７】
ｅＰＤＧ  ｅｍｅｒｇｅｎｃｙ  ｃａｐａｂｉｌｉｔｙ＿Ａ５５２とＥｍｅｒｇｅｎｃｙ  ｎｕｍｂｅｒ  ｌｉｓｔ＿Ａ５５４はＵＥコンテキストに含まれていてもよいし、ＵＥコンテキストから独立した情報であってもよい。
【０１０８】
つまり、ＵＥ＿Ａ１０はｅＰＤＧ  ｅｍｅｒｇｅｎｃｙ  ｃａｐａｂｉｌｉｔｙ＿Ａ５５２とＥｍｅｒｇｅｎｃｙ  ｎｕｍｂｅｒ  ｌｉｓｔ＿Ａ５５４をＵＥコンテキストに含めて記憶してもよく、又はｅＰＤＧ  ｅｍｅｒｇｅｎｃｙ  ｃａｐａｂｉｌｉｔｙ＿Ａ５５２とＥｍｅｒｇｅｎｃｙ  ｎｕｍｂｅｒ  ｌｉｓｔ＿Ａ５５４をＵＥコンテキストから独立して記憶してもよい。
【０１０９】
図６（ｃ）にＵＥごとに記憶されるＵＥコンテキストの一例を示す。ＵＥごとのＵＥコンテキストは、ＩＭＳＩ、ＥＭＭ  Ｓｔａｔｅ、ＧＵＴＩ、ＭＥ  Ｉｄｅｎｔｉｔｙが含まれてもよい。
【０１１０】
ＩＭＳＩはＵＥ＿Ａ１０を使用するユーザ（加入者）に割り当てられる、識別情報である。
【０１１１】
ＥＭＭ  Ｓｔａｔｅは、ＵＥ＿Ａ１０の移動管理状態を示す。例えば、ＵＥ＿Ａ１０がネットワークに登録されているＥＭＭ−ＲＥＧＩＳＴＥＲＥＤ（登録状態、ｒｅｇｉｓｔｅｒｅｄ状態）、又はＵＥ＿Ａ１０がネットワークに登録されていないＥＭＭ−ＤＥＲＥＧＩＳＴＥＲＤ（非登録状態、ｄｅｒｅｇｉｓｔｅｒｅｄ状態）であってもよい。
【０１１２】
ＧＵＴＩは、Ｇｌｏｂａｌｌｙ  Ｕｎｉｑｕｅ  Ｔｅｍｐｏｒａｒｙ  Ｉｄｅｎｔｉｔｙの略であり、ＵＥ＿Ａ１０の一時的な識別情報である。ＧＵＴＩはＭＭＥ＿Ａ４０の識別情報（ＧＵＭＭＥＩ：Ｇｌｏｂａｌｌｙ  Ｕｎｉｑｕｅ  ＭＭＥ  Ｉｄｅｎｔｉｆｉｅｒ）と特定ＭＭＥ＿Ａ４０内でのＵＥ＿Ａ１０の識別情報（Ｍ−ＴＭＳＩ）により構成される。
【０１１３】
ＭＥ  Ｉｄｅｎｔｉｔｙは、ＭＥのＩＤであり、例えば、ＩＭＥＩ／ＩＭＩＳＶであってもよい。
【０１１４】
図６（ｄ）にＰＤＮコネクションごとのＵＥコンテキストの一例を示す。ＰＤＮコネクションごとのＵＥコンテキストには、少なくともＡＰＮ  ｉｎ  Ｕｓｅ、ＩＰ  ａｄｄｒｅｓｓ、Ｄｅｆａｕｌｔ  Ｂｅａｒｅｒ、ＷＬＡＮ  ｏｆｆｌｏａｄ  ａｂｉｌｉｔｙが含まれてもよい。
【０１１５】
ＡＰＮ  ｉｎ  Ｕｓｅは、ＵＥ＿Ａ１０がこのＰＤＮコネクション確立に利用したＡＰＮである。このＡＰＮは、ネットワークの識別情報と、デフォルトのオペレータの識別情報とで構成されてもよい。
【０１１６】
ＩＰ  Ａｄｄｒｅｓｓは、ＰＤＮコネクションでＵＥ＿Ａ１０に割り当てられたＩＰアドレスであり、ＩＰｖ４アドレス、又はＩＰｖ６  プレフィックスであってもよい。
【０１１７】
Ｄｅｆａｕｌｔ  Ｂｅａｒｅｒは、このＰＤＮコネクションでのデフォルトベアラを識別するＥＰＳベアラ識別情報である。
【０１１８】
ＷＬＡＮ  ｏｆｆｌｏａｄａｂｉｌｉｔｙは、該ＰＤＮコネクションに関連付けられた通信に対し、ＷＬＡＮと３ＧＰＰ間のインターワーキング機能を用いてＷＬＡＮへオフロードすることを許可するか、又は３ＧＰＰアクセスを維持するか否かを示すＷＬＡＮオフロードの許可情報である。
【０１１９】
図６（ｅ）にベアラごとのＵＥコンテキストを示す。ベアラごとのＵＥコンテキストには少なくとも転送路識別情報が含まれてもよい。
【０１２０】
転送路識別情報は転送路及び又はベアラを識別する情報である。転送路識別情報は、例えばＥＰＳベアラＩＤであってもよい。
【０１２１】
また、転送路識別情報は、ＴＦＴ（Ｔｒａｆｆｉｃ  Ｆｌｏｗ  Ｔｅｍｐｌａｔｅ）などのＵＥ＿Ａ１０が送受信するフローの識別情報と対応付けられていてもよい。
【０１２２】
［１．２．３．ＰＧＷ構成要素］
次に、ＰＧＷ＿Ａ３０の構成要素について説明する。図７にＰＧＷ＿Ａ３０の装置構成を示す。図に示すように、ＰＧＷ＿Ａ３０はネットワーク接続部＿Ａ７２０と、制御部＿Ａ７００と記憶部＿Ａ７４０で構成されている。ネットワーク接続部＿Ａ７２０と記憶部＿Ａ７４０は制御部＿Ａ７００と、バスを介して接続されている。
【０１２３】
制御部＿Ａ７００はＰＧＷ＿Ａ３０を制御するための機能部である。制御部＿Ａ７００は、記憶部＿Ａ７４０に記憶されている各種プログラムを読みだして実行することにより各種処理を実現する。
【０１２４】
ネットワーク接続部＿Ａ７２０は、ユーザデータ及び又は制御メッセージを送受信するデータ送受信部であり、ＰＧＷ＿Ａ３０が、ＳＧＷ＿Ａ３５及び又はＰＣＲＦ＿Ａ６０及び又はｅＰＤＧ＿Ａ６５と及び又はＡＡＡ＿Ａ５５及び又はＴＷＡＧ＿Ａ７４と接続するための機能部である。ネットワーク接続部＿Ａ７２０は、送信部と受信部で構成されてもよい。
【０１２５】
記憶部＿Ａ７４０は、ＰＧＷ＿Ａ３０の各動作に必要なプログラムや、データ等を記憶する機能部である。記憶部＿Ａ７４０は、例えば、半導体メモリや、ＨＤＤ（Ｈａｒｄ  Ｄｉｓｋ  Ｄｒｉｖｅ）等により構成されている。
【０１２６】
記憶部＿Ａ７４０は、図に示すように、ＥＰＳベアラコンテキスト＿Ａ７４２を記憶する。なお、ＥＰＳベアラコンテキストの中には、ＵＥごとに記憶されるものと、ＡＰＮごとに記憶されるものと、ＰＤＮコネクションごとに記憶されるものと、転送路及び又はベアラごとに記憶されるものが含まれる。
【０１２７】
図７に示すように、記憶部＿Ａ７４０はＥＰＳベアラコンテキスト＿Ａ７４２を記憶する。以下、記憶部＿Ａ７４０で記憶される情報要素について説明する。なお、ＥＰＳベアラコンテキスト＿Ａ７４２は、ＵＥごとのＥＰＳベアラコンテキストとＰＤＮコネクションごとのＥＰＳベアラコンテキストと、転送路及び又はベアラごとのＥＰＳベアラコンテキストに分類される。
【０１２８】
図８に、記憶部＿Ａ７４０で記憶される情報要素を示す。図８（ａ）にＵＥごとのＥＰＳベアラコンテキストの一例を示す。ＥＰＳベアラコンテキストには、少なくともＩＭＳＩとＭＥ  ＩｄｅｎｔｉｔｙとＭＳＩＳＤＮが含まれてもよい。
【０１２９】
ＩＭＳＩはＵＥ＿Ａ１０のユーザを識別する情報である。
【０１３０】
ＭＥ  Ｉｄｅｎｔｉｔｙは、ＭＥのＩＤであり、例えば、ＩＭＥＩ／ＩＭＩＳＶであってもよい。
【０１３１】
ＭＳＩＳＤＮは、ＵＥ＿Ａ１０の電話番号を表す。
【０１３２】
図８（ｂ）にＰＤＮコネクションごとのＥＰＳベアラコンテキストの一例を示す。  
ＰＤＮコネクションごとのＥＰＳベアラコンテキストには、少なくともＩＰ  ａｄｄｒｅｓｓ、ＰＤＮ  ｔｙｐｅ、ＡＰＮ  ｉｎ  Ｕｓｅが含まれてもよい。
【０１３３】
ＩＰ  Ａｄｄｒｅｓｓは、このＰＤＮコネクションに対してＵＥ＿Ａ１０が割り当てられたＩＰアドレスを示す。ＩＰアドレスはＩＰｖ４及び又はＩＰｖ６  プレフィックスであってもよい。
【０１３４】
ＰＤＮ  ｔｙｐｅは、ＩＰアドレスの種類を示す。ＰＤＮ  ｔｙｐｅは例えば、ＩＰｖ４又はＩＰｖ６又はＩＰｖ４ｖ６を示す。
【０１３５】
ＡＰＮ  ｉｎ  Ｕｓｅは、このＰＤＮコネクション確立に利用されたＡＰＮを示す。ここで、ＡＰＮは、ＤＮＳの命名規則に従い、ネットワークのアクセス先を示すラベルであってもよい。
【０１３６】
図８（ｃ）に転送路及び又はベアラごとのＥＰＳベアラコンテキストの一例を示す。転送路及び又はベアラごとのＥＰＳベアラコンテキストには少なくとも転送路識別情報が含まれてもよい。
【０１３７】
転送路識別情報は転送路及び又はベアラを識別する情報である。転送路識別情報は、例えばＥＰＳベアラＩＤであってもよい。
【０１３８】
また、転送路識別情報はＴＦＴと対応付けられていてもよい。
【０１３９】
［１．３．処理の説明］
図９を用いて緊急サービス用の通信路確立手続きの概略を説明する。本実施形態における緊急サービス用の通信路確立手続きは、アタッチ手続き（Ｓ９０２）と、トリガー検出処理（Ｓ９０４）と、デタッチ手続き（Ｓ９０６）と、緊急通信のためのＰＤＮコネクション確立手続き（Ｓ９０８）と、ＩＭＳ登録手続き（Ｓ９１０）とが構成されてよい。
【０１４０】
ここで、デタッチ手続き（Ｓ９０６）及び又は緊急通信のためのＰＤＮコネクション確立手続き（Ｓ９０８）は条件に応じて省略可能である。各手続きが実行される条件や処理の詳細を以下で説明する。
【０１４１】
まず、ＵＥ＿Ａ１０は、アクセスネットワークＢ７５を介して、コアネットワーク＿Ａ９０との間にＰＤＮコネクションを確立するためのアタッチ手続きを実行する（Ｓ９０２）。これにより、ＵＥ＿Ａ１０はアクセスネットワークＢ７５を介してコアネットワーク＿Ａ９０に接続する。
【０１４２】
より詳細には、ＵＥ＿Ａ１０は、ｅＰＤＧ＿Ａ６５を介して、コアネットワーク＿Ａ９０に配置されるＰＧＷ＿Ａ３０との間にＰＤＮコネクションを確立する。アタッチ手続きの詳細は後ほど説明するが、このアタッチ手続きによって確立されるＰＤＮコネクションは、緊急通信サービス用のためのＰＤＮコネクションでなくてよい。つまり、一般音声通信を行うためのＡＰＮや、インターネット接続するためのＡＰＮなどを用いてＰＤＮコネクションを確立してもよい。
【０１４３】
なお、ＵＥ＿Ａ１０は、アタッチ手続きに基づいてｅＰＤＧ＿Ａ６５からｅＰＤＧ  ｅｍｅｒｇｅｎｃｙ  ｃａｐａｂｉｌｉｔｙ＿Ａ３４２及び又はＥｍｅｒｇｅｎｃｙ  ｎｕｍｂｅｒ  ｌｉｓｔ＿Ａ３４４を取得してもよい。
【０１４４】
次に、ＵＥ＿Ａ１０は、緊急通信を行うトリガーを検出する（Ｓ９０４）。具体的には、検出処理を実行する。トリガーＵＥ＿Ａ１０検出処理では、ＵＥ＿Ａ１０は、ユーザ操作によって緊急電話を発呼するなどのアプリケーションレベルのイベントをトリガーとしても良い。
【０１４５】
トリガーの検出に基づいて、ＵＥ＿Ａ１０はｅＰＤＧの選択処理を実行しても良い。ＵＥ＿Ａ１０は、ｅＰＤＧの選択処理によって緊急通信サービスのためのＰＤＮコネクションを確立可能なｅＰＤＧを選択する。
【０１４６】
なお、ＵＥ＿Ａ１０は、アタッチ手続きに基づいて接続したｅＰＤＧ＿Ａ６５が緊急通信サービスをためのＰＤＮコネクションを確立する能力を有することを検出した場合には、ｅＰＤＧの選択処理を実行しなくても良い。
【０１４７】
ここで、ＵＥ＿Ａ１０は、アタッチ手続きに基づいて接続したｅＰＤＧ＿Ａ６５が緊急通信サービスをためのＰＤＮコネクションを確立する能力を有するか否かは、アタッチ手続きに基づいてｅＰＤＧ＿Ａ６５から取得したｅＰＤＧ  ｅｍｅｒｇｅｎｃｙ  ｃａｐａｂｉｌｉｔｙ＿Ａ３４２及び又はＥｍｅｒｇｅｎｃｙ  ｎｕｍｂｅｒ  ｌｉｓｔ＿Ａ３４４に基づいて判定してもよい。
【０１４８】
もしくは、ＵＥ＿Ａ１０は、アタッチ手続きに基づいて接続したｅＰＤＧ＿Ａ６５が緊急通信サービスをためのＰＤＮコネクションを確立する能力を有するか否かは、アタッチ手続きに基づいてｅＰＤＧ＿Ａ６５から取得したｅＰＤＧ  ｅｍｅｒｇｅｎｃｙ  ｃａｐａｂｉｌｉｔｙ＿Ａ３４２及び又はＥｍｅｒｇｅｎｃｙ  ｎｕｍｂｅｒ  ｌｉｓｔ＿Ａ３４４ではなく、予めＵＥ＿Ａ１０に設定されたｅＰＤＧのリストに基づいて判定してもよい。ここで、予めＵＥ＿Ａ１０に設定されたｅＰＤＧのリストとは、ｅＰＤＧの識別情報と、ｅＰＤＧ＿Ａ６５が緊急通信サービスをためのＰＤＮコネクションを確立する能力を有する能力情報とを対応づけた情報であってよい。
【０１４９】
さらに、アタッチ手続きに基づいて接続したｅＰＤＧ＿Ａ６５が緊急通信サービスをためのＰＤＮコネクションを確立する能力を有する場合には、ＵＥ＿Ａ１０はデタッチ手続き（Ｓ９０６）を実行することなく、緊急通信サービスのためのＰＤＮコネクションを確立手続き（Ｓ９０８）を実行しても良い。
【０１５０】
一方で、アタッチ手続き（Ｓ９０２）で接続したｅＰＤＧ＿Ａ６５が緊急通信サービスをためのＰＤＮコネクションを確立する能力を有していないことを検出した場合には、ｅＰＤＧの選択処理を実行してもよい。ＵＥ＿Ａ１０は、ｅＰＤＧの選択処理において、Ｅｍｅｒｇｅｎｃｙ  ｎｕｍｂｅｒ  ｌｉｓｔ＿Ａ３４４にリストされる緊急通信サービスをためのＰＤＮコネクションを確立する能力を有するｅＰＤＧを選択してもよい。
【０１５１】
このように、ｅＰＤＧはアタッチ手続き（Ｓ９０２）において接続したｅＰＤＧが緊急通信サービスをためのＰＤＮコネクションを確立する能力を有していないことに基づいて、ｅＰＤＧの再選択及び又はデタッチ手続き（Ｓ９０６）を実行してもよい。
【０１５２】
もしくは、アタッチ手続き（Ｓ９０２）で接続したｅＰＤＧ＿Ａ６５が緊急通信サービスをためのＰＤＮコネクションを確立する能力を有している場合においても、トリガーの検出に基づいて、ＵＥ＿Ａ１０はｅＰＤＧの選択処理を実行しても良い。その場合、ＵＥ＿Ａ１０は、アタッチ手続き（Ｓ９０２）で接続したｅＰＤＧ＿Ａ６５を選択する。さらに、ＵＥ＿Ａ１０は、ｅＰＤＧの選択処理で選択したｅＰＤＧが、アタッチ手続き（Ｓ９０２）で接続したｅＰＤＧである場合には、デタッチ手続き（Ｓ９０６）を実行することなく、緊急通信サービスのためのＰＤＮコネクションを確立手続き（Ｓ９０８）を実行しても良い。
【０１５３】
なお、デタッチ手続き（Ｓ９０６）完了に基づいて、ＵＥ＿Ａ１０は緊急通信サービスのためのＰＤＮコネクション確立手続き（Ｓ９０８）を開始してもよい。なお、ＵＥ＿Ａ１０は、緊急通信サービスのためのＰＤＮコネクション確立手続きでは、緊急通信サービスのためのＰＤＮコネクションを確立可能なｅＰＤＧを介したＰＤＮコネクションを確立する。
【０１５４】
さらに、ＵＥ＿Ａ１０は、緊急通信サービスのためのＰＤＮコネクション確立手続き（Ｓ９０８）の完了に基づいて、ＩＭＳ登録手続きを開始してもよい（Ｓ９１０）。
【０１５５】
なお、ＵＥ＿Ａ１０は、アタッチ手続きで確立したＰＤＮコネクションを緊急通信サービスのために利用可能である場合には、デタッチ手続き（Ｓ９０６）及び緊急通信サービスのためのＰＤＮコネクション確立手続き（Ｓ９０８）を実行せずにＩＭＳ登録手続き（Ｓ９１０）を実行してもよい。
【０１５６】
以下、アタッチ手続き（Ｓ９０２）とデタッチ手続き（Ｓ９０６）緊急通信のためのＰＤＮコネクション確立手続き（Ｓ９０８）とＩＭＳ登録手続き（Ｓ９１０）の具体例を説明する。
【０１５７】
［１．３．１．アタッチ手続き例］
アタッチ手続きの例を、図１０を用いて説明する。
【０１５８】
ＵＥ＿Ａ１０は、まず、コアネットワーク＿Ａ９０との間でＩＫＥｖ２に基づくセキュリティアソシエーション手続きを初期化するためのＩＫＥ＿ＳＡ＿ＩＮＩＴ手続きを実行する（Ｓ１００２）。
【０１５９】
より詳細には、ＵＥ＿Ａ１０は、アクセスネットワークＢ７５とコアネットワーク＿Ａ９０間のゲートウェイの役割を果たすｅＰＤＧ＿Ａ６５との間で、暗号化アルゴリズムの取決めや、暗号鍵の共有を実行する。
【０１６０】
ＵＥ＿Ａ１０は、セキュリティアソシエーション手続きの初期化に基づいて、アクセスネットワークＢ７５を介してコアネットワーク＿Ａ９０との間にＰＤＮコネクションを確立するためにアタッチ手続きを開始する。より詳細には、ＵＥ＿Ａ１０はｅＰＤＧ＿Ａ６５を介してコアネットワーク＿Ａ９０に配置されるＰＧＷ＿Ａ３０との間にＰＤＮコネクションを確立する。
【０１６１】
具体的には、ＵＥ＿Ａ１０は、ｅＰＤＧ＿Ａ６５にＩＫＥ＿ＡＵＴＨ要求（ＩＫＥ＿ＡＵＴＨ  Ｒｅｑｕｅｓｔ）を送信する（Ｓ１００４）。ＵＥ＿Ａ１０は、少なくともコンフィグレーションペイロード（Ｃｏｎｆｉｇｕｒａｔｉｏｎ  Ｐａｙｌｏａｄ）及び又はＡＰＮ（Ａｃｃｅｓｓ  Ｐｏｉｎｔ  Ｎａｍｅ）及び又はアタッチタイプ（アタッチタイプ）をＩＫＥ＿ＡＵＴＨ要求に含めて送信してもよい。
【０１６２】
このように、ＩＫＥ＿ＡＵＴＨ要求は、ＰＤＮコネクションの確立を要求する要求メッセージであってよい。
【０１６３】
ここで、コンフィグレーションペイロードは、ＵＥが要求するＩＰアドレスの情報を含むペイロードであってよい。具体例には、ＵＥ＿Ａ１０は、コンフィグレーションペイロードにＩＰｖ４のＩＰアドレスを希望していることを示す情報を含めてもよく、ＩＰｖ６のＩＰアドレスを希望していることを示す情報を含めてもよい。また、ＵＥ＿Ａ１０は、ＩＰｖ４、ＩＰｖ６両方のＩＰアドレスを希望している場合、ＩＰｖ４用のコンフィグレーションペイロードとＩＰｖ６用のコンフィグレーションペイロードとをＩＫＥ＿ＡＵＴＨ要求に含めて送信してもよい。
【０１６４】
ＡＰＮは、ＤＮＳの命名規則に従い、ネットワークのアクセス先を示すラベルであってよい。ＵＥ＿Ａ１０は、デフォルトのＡＰＮを利用する場合は、ＩＫＥ＿ＡＵＴＨ要求にＡＰＮを含めなくてもよい。
【０１６５】
アタッチタイプは、要求するアタッチ手続きの種類を識別する情報であってよい。例えば、ＵＥ＿Ａ１０は、ｅＰＤＧ＿Ａ６５に対して初期接続を行うことから、アタッチタイプはＩｎｉｔｉａｌ  Ａｔｔａｃｈであってよい。
【０１６６】
ｅＰＤＧ＿Ａ６５は、ＵＥ＿Ａ１０が送信したＩＫＥ＿ＡＵＴＨ要求を受信する。ｅＰＤＧ＿Ａ６５はＩＫＥ＿ＡＵＴＨ要求の受信及び又は、ＩＫＥ＿ＡＵＴＨ要求に含まれるＡＰＮに基づき、ＰＤＮコネクションを確立するＰＧＷを選択する。ＩＫＥ＿ＡＵＴＨ要求にＡＰＮが含まれていない場合、ｅＰＤＧ＿Ａ６５は、保持するデフォルトのＡＰＮを用いてＰＧＷ＿Ａ３０を選択してもよい。また、ＩＫＥ＿ＡＵＴＨ要求に含まれたＡＰＮが有効ではない場合、ｅＰＤＧ＿Ａ６５は、保持するデフォルトのＡＰＮを用いてＰＧＷ＿Ａ３０を選択してもよい。
【０１６７】
ｅＰＤＧ＿Ａ６５は、ＰＤＮコネクションを確立するＰＧＷの選択に基づき、ＰＧＷ＿Ａ３０にセッション生成要求を送信する（Ｓ１００６）。ｅＰＤＧはＡＰＮをセッション生成要求に含めてもよい。
【０１６８】
ＰＧＷ＿Ａ３０はｅＰＤＧ＿Ａ６５が送信したセッション生成要求を受信する。ＰＧＷ＿Ａ３０はセッション生成要求の受信に基づき、ＵＥ＿Ａ１０のＩＰアドレスを割り当ててもよい。
【０１６９】
ＰＧＷ＿Ａ３０は、ＵＥ＿Ａ１０のＩＰアドレスを割り当てに基づき、ｅＰＤＧ＿Ａ６５にセッション生成応答を送信する（Ｓ１００８）。ＰＧＷ＿Ａ３０はＰＤＮアドレス（ＰＤＮ  Ａｄｄｒｅｓｓ）及び又は転送路識別情報をセッション生成応答に含めて送信してもよい。
【０１７０】
ここで、ＰＤＮアドレスは、ＵＥ＿Ａ１０に割り当てられたＩＰアドレスであってもよい。例えば、ＩＰｖ４アドレスであってよく、ＩＰｖ６アドレスを構築するためのＩＰｖ６プレフィックスとインターフェースＩＤであってもよい。ここで、ＰＧＷ＿Ａ３０はＵＥ＿Ａ１０のＩＰアドレスを割り当ててもよい。さらに、ＰＧＷ＿Ａ３０は、ＵＥ＿Ａ１０に割り当てたＩＰアドレスをＰＤＮアドレスに含めてもよい。
【０１７１】
転送路識別情報は、転送路を識別する情報である。転送路識別情報は、デフォルトベアラを識別するベアラ識別情報であってよい。
【０１７２】
ｅＰＤＧ＿Ａ６５はＰＧＷ＿Ａ３０が送信したセッション生成応答を受信する。ｅＰＤＧ＿Ａ６５は、セッション生成応答の受信に基づき、ＵＥ＿Ａ１０にＩＫＥ＿ＡＵＴＨ応答（ＩＫＥ＿ＡＵＴＨ  Ｒｅｓｐｏｎｓｅ）を送信する（Ｓ１０１０）。ｅＰＤＧ＿Ａ６５は、少なくともコンフィグレーションペイロード（Ｃｏｎｆｉｇｕｒａｔｉｏｎ  Ｐａｙｌｏａｄ）及び又はＡＰＮ（Ａｃｃｅｓｓ  Ｐｏｉｎｔ  Ｎａｍｅ）をＩＫＥ＿ＡＵＴＨ応答に含めて送信してもよい。
【０１７３】
このように、ＩＫＥ＿ＡＵＴＨ応答は、ＰＤＮコネクションの確立を要求する要求メッセージに対する応答であり、ＰＤＮコネクションの確立を受託したことを示す受諾メッセージであってよい。
【０１７４】
ここで、コンフィグレーションペイロードは、ＵＥ＿Ａに割り当てられたＩＰアドレスが入るペイロードであってよい。言い換えると、コンフィグレーションペイロードには、ＰＤＮアドレスが含まれてもよい。具体例には、ｅＰＤＧ＿Ａ６５は、コンフィグレーションペイロードにＩＰｖ４アドレスを含めてもよく、ＩＰｖ６アドレスを構築するためのＩＰｖ６プレフィックスとインターフェースＩＤを含めてもよく、ＩＰｖ６アドレスを構築するためのインターフェースＩＤのみを含めてもよい。また、ｅＰＤＧ＿Ａ６５は、ＵＥ＿Ａ１０に割り当てられたＩＰアドレスがＩＰｖ４、ＩＰｖ６両方存在している場合、ＩＰｖ４用のコンフィグレーションペイロードとＩＰｖ６用のコンフィグレーションペイロードとをＩＫＥ＿ＡＵＴＨ要求に含めて送信してもよい。
【０１７５】
ＡＰＮは、ＰＤＮコネクション確立に利用されたＡＰＮであってよい。
【０１７６】
また、ｅＰＤＧ＿Ａ６５はＵＥ＿Ａ１０との間のＩＰＳｅｃトンネル確立の完了を示す情報をＩＫＥ＿ＡＵＴＨ応答に含めて送信してもよい。
【０１７７】
さらに、ｅＰＤＧ＿Ａ６５は、第１の識別情報及び又は第２の識別情報をＩＫＥ＿ＡＵＴＨ応答に含めて送信してもよい。
【０１７８】
ここで、第１の識別情報は、ｅＰＤＧ＿Ａ６５が緊急通信のためのＰＤＮコネクション確立をサポートしているかどうかを示すｅＰＤＧ  ｅｍｅｒｇｅｎｃｙ  ｃａｐａｂｉｌｉｔｙ＿Ａ３４２であってよい。
【０１７９】
第２の識別情報は、Ｅｍｅｒｇｅｎｃｙ  ｎｕｍｂｅｒ  ｌｉｓｔ＿Ａ３４４であってよい。
【０１８０】
もしくは、ｅＰＤＧ＿Ａ６５が緊急通信のためのＰＤＮコネクション確立をサポートしている場合にのみ、ｅＰＤＧ＿Ａ６５は第1の識別情報を含めてＩＫＥ＿ＡＵＴＨ応答してもよい。したがって、第1の識別情報は、ｅＰＤＧ＿Ａ６５が緊急通信のためのＰＤＮコネクション確立をサポートしていることを示す情報であってよい。
【０１８１】
さらに、ｅＰＤＧ＿Ａ６５が緊急通信のためのＰＤＮコネクション確立をサポートしている場合にのみ、ｅＰＤＧ＿Ａ６５は第２の識別情報を含めてＩＫＥ＿ＡＵＴＨ応答してもよい。したがって、第２の識別情報は、緊急通信のためのＰＤＮコネクション確立をサポートしていることを示す情報であり、且つ、緊急通信のためのＰＤＮコネクション確立をサポートしているｅＰＤＧ＿Ａ６５の識別情報が含まれた情報であってよい。
【０１８２】
ＵＥ＿Ａ１０はｅＰＤＧ＿Ａ６５が送信したＩＫＥ＿ＡＵＴＨ応答を受信する。ＩＫＥ＿ＡＵＴＨ応答の受信及び又はＵＥ＿Ａ１０、ｅＰＤＧ＿Ａ６５間のＩＰＳｅｃトンネル確立の完了を示す情報の受信に基づき、ＵＥ＿Ａ１０はＵＥ＿Ａ１０とｅＰＤＧとの間のＩＰＳｅｃトンネルが確立を確認してよい（Ｓ１０１２）。つまり、ＵＥ＿Ａ１０がＩＫＥ＿ＡＵＴＨ応答を受信した事及び又はＵＥ＿Ａ１０とｅＰＤＧ＿Ａ６５間のＩＰＳｅｃトンネル確立の完了を示す情報を受信した事に基づき、ＰＤＮコネクションが確立されてもよい。
【０１８３】
このように、ＵＥ＿Ａ１０は、ＩＫＥ＿ＡＵＴＨ応答の受信に基づいて、第１の識別情報及び又は第２の識別情報を取得することができる。
【０１８４】
これにより、ＵＥ＿Ａ１０は、接続したｅＰＤＧが緊急通信用のＰＤＮコネクションを確立可能することができるか否かを示す情報を入手することができる。さらに、ＵＥ＿Ａ１０は、接続したｅＰＤＧとはことなる緊急通信用のＰＤＮコネクションを確立可能することができるｅＰＤＧの情報を取得することができる。
【０１８５】
アタッチ手続きの完了により、ＵＥ＿Ａ１０とＰＧＷ＿Ａ３０はＰＤＮコネクションを確立する。
【０１８６】
［１．３．２．デタッチ手続き例］
デタッチ手続きの例を、図１３を用いて説明する。
【０１８７】
ＵＥ＿Ａ１０は、デタッチ要求メッセージをｅＰＤＧ＿Ａ６５に送信し（Ｓ２１０２）、デタッチ要求メッセージに対する応答としてデタッチ応答を受信する（Ｓ２１１０）。要求がアクセプトされた場合、デタッチ応答はデタッチアクセプトメッセージであってよい。
【０１８８】
ＵＥ＿Ａ１０は、デタッチアクセプトメッセージの受信に基づいて、ｅＰＤＧ＿Ａ６５を介してＰＧＷ＿Ａ３０との間に確立したＰＤＮコネクションを切断する。
【０１８９】
なお、ｅＰＤＧ_Ａ６５は、デタッチ要求の受信に基づいて、セッション削除要求をＰＧＷ＿Ａ３０に送信する（Ｓ２１０４）。さらに、ｅＰＤＧ_Ａ６５は、セッション削除要求の応答としてＰＧＷ＿Ａ３０が送信するセッション削除応答を受信する（Ｓ２１０８）。ｅＰＤＧ_Ａ６５は、セッション削除応答の受信に基づいて、ＵＥ＿Ａ１０にデタッチ応答を送信してもよい。
【０１９０】
また、ＰＧＷ＿Ａ３０は、セッション削除要求の受信に基づいて、ＰＣＲＦ＿Ａ６０との間でＩＰ−ＣＡＮセッション更新手続きを実行してもよい（Ｓ２１０６）。さらに、ＰＧＷ＿Ａ３０は、ＩＰ−ＣＡＮセッション更新手続きの完了に基づいてセッション削除応答をｅＰＧＤ_Ａ６５に送信してもよい。
【０１９１】
このように、ＵＥ＿Ａ１０は、ｅＰＤＧ_Ａ６５への接続を切断するためにデタッチ要求メッセージを送信してもよい。
【０１９２】
もしくは、ＵＥ＿Ａ１０は、ｅＰＤＧ_Ａ６５を介して確立するＰＤＮコネクションを切断するためにデタッチ要求メッセージを送信してもよい。例えば、ＵＥ_Ａ１０はｅＰＤＧ_Ａ６５を介して複数のＰＤＮコネクションを確立している場合には、ＰＤＮコネクション毎にデタッチ要求メッセージを送信し、デタッチ応答メッセージの受信毎にＰＤＮコネクションを削除して、最終的にｅＰＤＧ_Ａ６５を介したすべてのＰＤＮコネクションを削除してもよい。
【０１９３】
このように、デタッチ要求メッセージは単一のＰＤＮコネクションを削除するための要求メッセージであり、デタッチ応答メッセージは、単一のＰＤＮコネクションを削除したことを示す応答メッセージであってもよい。
【０１９４】
なお、上述したデタッチ要求メッセージ及びデタッチ応答メッセージは、ＩＫＥに基づく制御メッセージであってよい。より具体的には、デタッチ要求メッセージはＩＫＥ  ＩＮＦＯＭＡＴＩＯＮＡＬ要求メッセージであって良い。さらに、ＵＥ＿Ａ１０は、ＩＫＥ  ＩＮＦＯＭＡＴＩＯＮＡＬ要求メッセージには、ＰＤＮコネクションのディアクティベートを要求する情報又はデタッチを要求する情報を含めても良い。
【０１９５】
また、デタッチ応答メッセージはＩＫＥ  ＩＮＦＯＭＡＴＩＯＮＡＬ要求メッセージであって良い。ｅＰＤＧ＿Ａ６５は、デタッチ応答メッセージにＰＤＮコネクションのディアクティベートを要求する情報又はデタッチを要求する情報を含めてもよい。
【０１９６】
［１．３．３．緊急通信のためのＰＤＮコネクション確立手続き例］
緊急通信のためのＰＤＮコネクション確立手続きの例を、図１１を用いて説明する。
【０１９７】
ＵＥ＿Ａ１０は、まず、コアネットワーク＿Ａ９０との間でＩＫＥｖ２に基づくセキュリティアソシエーション手続きを初期化するためのＩＫＥ＿ＳＡ＿ＩＮＩＴ手続きを実行する（Ｓ１１０２）。
【０１９８】
より詳細には、ＵＥ＿Ａ１０は、アクセスネットワークＢ７５とコアネットワーク＿Ａ９０との間のゲートウェイの役割を果たすｅＰＤＧ＿Ａ６５との間で、暗号化アルゴリズムの取決めや、暗号鍵の共有を実行する。
【０１９９】
なお、ＵＥ＿Ａ１０は、デタッチ手続きを行わなかった場合には、ＩＫＥ＿ＳＡ＿ＩＮＩＴ手続き（Ｓ１1０２）を実行しないよう設定されてもよい。
【０２００】
次に、アクセスネットワークＢ７５を介してコアネットワーク＿Ａ９０との間にＰＤＮコネクションを確立するためにアタッチ手続きを開始する。より詳細には、ＵＥ＿Ａ１０はｅＰＤＧ＿Ａ６５を介してコアネットワーク＿Ａ９０に配置されるＰＧＷ＿Ａ３０との間にＰＤＮコネクションを確立する。
【０２０１】
具体的には、ＵＥ＿Ａ１０は、ｅＰＤＧ＿Ａ６５にＩＫＥ＿ＡＵＴＨ要求（ＩＫＥ＿ＡＵＴＨ  Ｒｅｑｕｅｓｔ）を送信する（Ｓ１１０４）。ＵＥ＿Ａ１０は、少なくともコンフィグレーションペイロード（Ｃｏｎｆｉｇｕｒａｔｉｏｎ  Ｐａｙｌｏａｄ）及び又はＡＰＮ（Ａｃｃｅｓｓ  Ｐｏｉｎｔ  Ｎａｍｅ）及び又はアタッチタイプ（アタッチタイプ）をＩＫＥ＿ＡＵＴＨ要求に含めて送信してもよい。
【０２０２】
このように、ＩＫＥ＿ＡＵＴＨ要求は、ＰＤＮコネクションの確立を要求する要求メッセージであってよい。
【０２０３】
ここで、コンフィグレーションペイロードは、ＵＥが要求するＩＰアドレスの情報を含むペイロードであってよい。具体例には、ＵＥ＿Ａ１０は、コンフィグレーションペイロードにＩＰｖ４のＩＰアドレスを希望していることを示す情報を含めてもよく、ＩＰｖ６のＩＰアドレスを希望していることを示す情報を含めてもよい。また、ＵＥ＿Ａ１０は、ＩＰｖ４、ＩＰｖ６両方のＩＰアドレスを希望している場合、ＩＰｖ４用のコンフィグレーションペイロードとＩＰｖ６用のコンフィグレーションペイロードとをＩＫＥ＿ＡＵＴＨ要求に含めて送信してもよい。
【０２０４】
ＡＰＮは、ＤＮＳの命名規則に従い、ネットワークのアクセス先を示すラベルであってよい。ＵＥ＿Ａ１０は、デフォルトのＡＰＮを利用する場合は、ＩＫＥ＿ＡＵＴＨ要求にＡＰＮを含めなくてもよい。
【０２０５】
アタッチタイプは、要求するアタッチ手続きの種類を識別する情報であってよい。例えば、ＵＥ＿Ａ１０は、アタッチタイプに緊急通信のためのＰＤＮコネクションを確立することを表す情報を含めてもよい。より詳細には、ＵＥ＿Ａ１０は、アタッチタイプにＥＰＳ  ｅｍｅｒｇｅｎｃｙ  ａｔｔａｃｈを含めることによって、緊急通信のためのＰＤＮコネクション確立を要求することを表してもよい。
【０２０６】
さらに、ＵＥ＿Ａ１０は少なくとも第３の識別情報をＩＫＥ＿ＡＵＴＨ要求に含めて送信してもよい。
【０２０７】
ここで、第３の識別情報は、緊急通信のためのＰＤＮコネクションを確立することを表すＥｍｅｒｇｅｎｃｙ  Ｉｎｄｉｃａｔｉｏｎであってよい。ＵＥ＿Ａ１０は、ＩＫＥ＿ＡＵＴＨ要求に含まれるアタッチタイプに第３の識別情報を含めてＩＫＥ＿ＡＵＴＨ要求を送信してもよく、アタッチタイプとは別にＩＫＥ＿ＡＵＴＨ要求に含めて送信してもよい。
【０２０８】
ｅＰＤＧ＿Ａ６５は、ＵＥ＿Ａ１０が送信したＩＫＥ＿ＡＵＴＨ要求を受信する。ｅＰＤＧ＿Ａ６５はＩＫＥ＿ＡＵＴＨ要求の受信及び又は、ＩＫＥ＿ＡＵＴＨ要求に含まれるアタッチタイプ及び又は第３の識別情報に基づき、ＰＤＮコネクションを確立するＰＧＷ＿Ａ３０を選択する。ＩＫＥ＿ＡＵＴＨ要求にＡＰＮが含まれているか否かに関わらず、ＩＫＥ＿ＡＵＴＨ要求に含まれるアタッチタイプ及び又は第３の識別情報に基づき、ｅＰＤＧ＿Ａ６５は、保持するＥｍｅｒｇｅｎｃｙ  ＡＰＮを用いてＰＧＷ＿Ａ３０を選択してもよい。
【０２０９】
ｅＰＤＧ＿Ａ６５は、ＰＤＮコネクションを確立するＰＧＷ＿Ａ３０の選択に基づき、ＰＧＷ＿Ａ３０にセッション生成要求を送信する（Ｓ１１０６）。ｅＰＤＧは少なくともＥｍｅｒｇｅｎｃｙ  ＡＰＮをセッション生成要求に含めてもよい。
【０２１０】
ここで、Ｅｍｅｒｇｅｎｃｙ  ＡＰＮは、緊急通信のためのＰＤＮコネクションを確立するために利用されるＡＰＮを示す情報であってよい。
【０２１１】
また、ＡＰＮは、ＤＮＳの命名規則に従い、ネットワークのアクセス先を示すラベルであってよい。
【０２１２】
ＰＧＷ＿Ａ３０はｅＰＤＧ＿Ａ６５が送信したセッション生成要求を受信する。ＰＧＷ＿Ａ３０はセッション生成要求の受信に基づき、ＵＥ＿Ａ１０のＩＰアドレスを割り当ててもよい。
【０２１３】
ＰＧＷ＿Ａ３０は、ＵＥ＿Ａ１０のＩＰアドレスを割り当てに基づき、ｅＰＤＧ＿Ａ６５にセッション生成応答を送信する（Ｓ１１０８）。ＰＧＷ＿Ａ３０はＰＤＮアドレス（ＰＤＮ  Ａｄｄｒｅｓｓ）及び又は及び又は転送路識別情報をセッション生成応答に含めて送信してもよい。
【０２１４】
ここで、ＰＤＮアドレスは、ＵＥ＿Ａ１０に割り当てられたＩＰアドレスであってもよい。例えば、ＩＰｖ４アドレスであってよく、ＩＰｖ６アドレスを構築するためのＩＰｖ６プレフィックスとインターフェースＩＤであってもよい。ここで、ＰＧＷ＿Ａ３０はＵＥ＿Ａ１０のＩＰアドレスを割り当ててもよい。さらに、ＰＧＷ＿Ａ３０は、ＵＥ＿Ａ１０に割り当てたＩＰアドレスをＰＤＮアドレスに含めてもよい。
【０２１５】
転送路識別情報は、転送路を識別する情報である。転送路識別情報は、デフォルトベアラを識別するベアラ識別情報であってよい。
【０２１６】
ｅＰＤＧ＿Ａ６５はＰＧＷ＿Ａ３０が送信したセッション生成応答を受信する。ｅＰＤＧ＿Ａ６５は、セッション生成応答の受信に基づき、ＵＥ＿Ａ１０にＩＫＥ＿ＡＵＴＨ応答（ＩＫＥ＿ＡＵＴＨ  Ｒｅｓｐｏｎｓｅ）を送信する（Ｓ１１１０）。ｅＰＤＧ＿Ａ６５は、少なくともコンフィグレーションペイロード（Ｃｏｎｆｉｇｕｒａｔｉｏｎ  Ｐａｙｌｏａｄ）及び又はＡＰＮ（Ａｃｃｅｓｓ  Ｐｏｉｎｔ  Ｎａｍｅ）をＩＫＥ＿ＡＵＴＨ応答に含めて送信してもよい。
【０２１７】
このように、ＩＫＥ＿ＡＵＴＨ応答は、ＰＤＮコネクションの確立を要求する要求メッセージに対する応答であり、ＰＤＮコネクションの確立を受託したことを示す受諾メッセージであってよい。
【０２１８】
ここで、コンフィグレーションペイロードは、ＵＥ＿Ａに割り当てられたＩＰアドレスが入るペイロードであってよい。言い換えると、コンフィグレーションペイロードには、ＰＤＮアドレスが含まれてもよい。具体例には、ｅＰＤＧ＿Ａ６５は、コンフィグレーションペイロードにＩＰｖ４アドレスを含めてもよく、ＩＰｖ６アドレスを構築するためのＩＰｖ６プレフィックスとインターフェースＩＤを含めてもよく、ＩＰｖ６アドレスを構築するためのインターフェースＩＤのみを含めてもよい。また、ｅＰＤＧ＿Ａ６５は、ＵＥ＿Ａ１０に割り当てられたＩＰアドレスがＩＰｖ４、ＩＰｖ６両方存在している場合、ＩＰｖ４用のコンフィグレーションペイロードとＩＰｖ６用のコンフィグレーションペイロードとをＩＫＥ＿ＡＵＴＨ要求に含めて送信してもよい。
【０２１９】
ＡＰＮは、ＰＤＮコネクション確立に利用されたＡＰＮであってよい。具体例には、ｅＰＤＧ＿Ａ６５は、Ｅｍｅｒｇｅｎｃｙ  ＡＰＮをＩＫＥ＿ＡＵＴＨ応答に含めてもよい。
【０２２０】
また、ｅＰＤＧ＿Ａ６５はＵＥ＿Ａ１０との間のＩＰＳｅｃトンネル確立の完了を示す情報をＩＫＥ＿ＡＵＴＨ応答に含めて送信してもよい。
【０２２１】
さらに、ｅＰＤＧ＿Ａ６５は、第１の識別情報及び又は第２の識別情報をＩＫＥ＿ＡＵＴＨ応答に含めて送信してもよい。
【０２２２】
ここで、第１の識別情報は、ｅＰＤＧ＿Ａ６５が緊急通信のためのＰＤＮコネクション確立をサポートしているかどうかを示すｅＰＤＧ  ｅｍｅｒｇｅｎｃｙ  ｃａｐａｂｉｌｉｔｙ＿Ａ３４２であってよい。
【０２２３】
第２の識別情報は、Ｅｍｅｒｇｅｎｃｙ  ｎｕｍｂｅｒ  ｌｉｓｔ＿Ａ３４４であってよい。
【０２２４】
もしくは、ｅＰＤＧ＿Ａ６５が緊急通信のためのＰＤＮコネクション確立をサポートしている場合にのみ、ｅＰＤＧ＿Ａ６５は第1の識別情報を含めてＩＫＥ＿ＡＵＴＨ応答してもよい。したがって、第1の識別情報は、ｅＰＤＧ＿Ａ６５が緊急通信のためのＰＤＮコネクション確立をサポートしていることを示す情報であってよい。
【０２２５】
さらに、ｅＰＤＧ＿Ａ６５が緊急通信のためのＰＤＮコネクション確立をサポートしている場合にのみ、ｅＰＤＧ＿Ａ６５は第２の識別情報を含めてＩＫＥ＿ＡＵＴＨ応答してもよい。したがって、第２の識別情報は、緊急通信のためのＰＤＮコネクション確立をサポートしていることを示す情報であり、且つ、緊急通信のためのＰＤＮコネクション確立をサポートしているｅＰＤＧ＿Ａ６５の識別情報が含まれた情報であってよい。
【０２２６】
ＵＥ＿Ａ１０はｅＰＤＧ＿Ａ６５が送信したＩＫＥ＿ＡＵＴＨ応答を受信する。ＩＫＥ＿ＡＵＴＨ応答の受信及び又はＵＥ＿Ａ１０、ｅＰＤＧ＿Ａ６５間のＩＰＳｅｃトンネル確立の完了を示す情報の受信に基づき、ＵＥ＿Ａ１０は、ＵＥ＿Ａ１０とｅＰＤＧとの間のＩＰＳｅｃトンネルが確立されたことを確認してもよい（Ｓ１０１２）。つまり、ＵＥ＿Ａ１０がＩＫＥ＿ＡＵＴＨ応答を受信した事及び又はＵＥ＿Ａ１０とｅＰＤＧ＿Ａ６５間のＩＰＳｅｃトンネル確立の完了を示す情報を受信した事及び又は第１の識別情報及び又は第２の識別情報を受信した事基づき、緊急通信のためのＰＤＮコネクションが確立されてもよい。
【０２２７】
アタッチ手続きの完了により、ＵＥ＿Ａ１０とＰＧＷ＿Ａ３０は緊急通信のためのＰＤＮコネクションを確立する。
【０２２８】
なお、上記の緊急通信のためのＰＤＮコネクション確立手続き例では、ＵＥ＿Ａ１０は、ｅＰＤＧ＿Ａ６５に対してＩＫＥ_ＡＵＴＨ要求を送信してＰＤＮコネクションを確立する例を説明したが、ｅＰＤＧ＿Ａ６５が緊急通信サービスのためのＰＤＮコネクションを確立する能力を有さず、ＵＥ＿Ａ１０はｅＰＤＧの選択処理においてｅＰＤＧ＿Ａ６５とは異なるｅＰＤＧを選択した場合には、ＵＥ＿Ａ１０は、ｅＰＤＧ＿Ａ６５に対してではなく、ｅＰＤＧの選択処理において選択されたｅＰＤＧに対してＩＫＥ_ＡＵＴＨ要求を送信してＰＤＮコネクションを確立する。
【０２２９】
例えば、ＵＥ＿Ａ１０はｅＰＤＧの選択処理において緊急通信サービスのためのＰＤＮコネクションを確立する能力を有するｅＰＤＧとしてｅＰＧＤ＿Ｂ６６を選択した場合、ＵＥ＿Ａ１０は、ｅＰＤＧ＿Ａ６５に対してＩＫＥ_ＡＵＴＨ要求を送信してＰＤＮコネクションを確立する
その場合の手続きの詳細は、既に説明した緊急通信のためのＰＤＮコネクション確立手続き例において、ｅＰＤＧ＿Ａ６５をｅＰＤＧ_Ｂ６６に置き換えた手続き及び処理であってよい。そのため詳細説明は省略する。
【０２３０】
このように、ＵＥ＿Ａ１０は、緊急通信のためのＰＤＮコネクション確立手続きによって、緊急通信サービスのためのＰＤＮコネクションを確立する能力を有するｅＰＤＧを介してＰＧＥ＿Ａ３０との間に、緊急通信サービスのためのＰＤＮコネクションを確立することができる。
【０２３１】
［１．３．４．ＩＭＳ登録手続き例］
ＩＭＳ登録手続きの例を、図１２を用いて説明する。
【０２３２】
ＵＥ＿Ａ１０は、緊急通信のためのＰＤＮコネクションの確立に基づき、ＩＭＳネットワーク＿Ａ１１０にＳＩＰ登録（ＳＩＰ  Ｒｅｇｉｓｔｅｒ）を送信する（Ｓ１２０２）。より詳細には、ＵＥ＿Ａ１０は、緊急通信のためのＰＤＮコネクション確立手続き中のＩＫＥ＿ＡＵＴＨ応答の受信及び又はＵＥ＿Ａ１０、ｅＰＤＧ＿Ａ６５間のＩＰＳｅｃトンネル確立の完了を示す情報の受信及び又は第１の識別情報及び又は第２の識別情報の受信に基づき、Ｐ−ＣＳＣＦ＿Ａ１１２にＳＩＰ登録を送信する。ＵＥ＿Ａ１０は、ＳＩＰ登録に第３の識別情報を含めて送信してもよい。また、ｅＰＤＧ＿Ａ６５の選択及び又は緊急通信のためのＰＤＮコネクション確立手続きを実行するかの決定に基づいて、ＵＥ＿Ａ１０は、ＳＩＰ登録に第３の識別情報を含めて送信してもよい。
【０２３３】
ここで、第１の識別情報は、ｅＰＤＧ＿Ａ６５が緊急通信のためのＰＤＮコネクション確立をサポートしているかどうかを示すｅＰＤＧ  ｅｍｅｒｇｅｎｃｙ  ｃａｐａｂｉｌｉｔｙであってよい。
【０２３４】
第２の識別情報は、Ｅｍｅｒｇｅｎｃｙ  Ｃａｌｌのための有効なＥｍｅｒｇｅｎｃｙ  ｎｕｍｂｅｒが入ったリストであるＥｍｅｒｇｅｎｃｙ  ｎｕｍｂｅｒ  ｌｉｓｔであってよい。なお、ｅＰＤＧ＿Ａ６５は、緊急通信のためのＰＤＮコネクション確立をサポートしている場合のみ、第２の識別情報をＩＫＥ＿ＡＵＴＨ応答に含めて送信してもよい。つまり、ｅＰＤＧ＿Ａ６５は、ＩＫＥ＿ＡＵＴＨ応答に第２の識別情報を含めることで、緊急通信のためのＰＤＮコネクション確立をサポートしていることを示してもよい。言い換えると、第１の識別情報は第２の識別情報であってもよい。
【０２３５】
さらに、第３の識別情報は、緊急通信のためのＰＤＮコネクションを確立することを表すＥｍｅｒｇｅｎｃｙ  Ｉｎｄｉｃａｔｉｏｎであってよい。ＵＥ＿Ａ１０は、ＩＫＥ＿ＡＵＴＨ要求中のアタッチタイプに第３の識別情報を含めてＩＫＥ＿ＡＵＴＨ要求を送信してもよく、アタッチタイプとは別にＩＫＥ＿ＡＵＴＨ要求に含めて送信してもよい。
【０２３６】
Ｐ−ＣＳＣＦ＿Ａ１１２は、ＵＥ＿Ａ１０が送信したＳＩＰ登録を受信する。Ｐ−ＣＳＣＦ＿Ａ１１２は、ＳＩＰ登録の受信及び又はＳＩＰ登録に含まれる第３の識別情報の受信に基づき、２００  ＯＫをＵＥ＿Ａ１０に送信する（Ｓ１２０４）。
【０２３７】
ＵＥ＿Ａ１０は、Ｐ−ＣＳＣＦ＿Ａ１１２が送信した２００  ＯＫを受信する。ＵＥ＿Ａ１０は、２００  ＯＫの受信に基づき、ＩＭＳ登録手続きを完了する。
【０２３８】
ＩＭＳ登録手続き完了により、ＵＥ＿Ａ１０はＩＭＳネットワーク＿Ａ１１０に登録される。より詳細には、ＩＭＳ登録手続き完了により、ＵＥ＿Ａ１０は緊急通信サービスの利用を要求するＵＥとして、Ｐ−ＣＳＣＦ＿Ａ１１２を介してＩＭＳネットワーク＿Ａ１１０に登録される。ＵＥ＿Ａ１０は、ＩＭＳ登録手続き完了に基づき、緊急通信サービス用のＩＭＳ接続手続きを開始してもよい。
【０２３９】
より具体的には、ＵＥ＿Ａ１０は、緊急呼を発呼するためＳＩＰ  Ｉｎｖｉｔｅメッセージを緊急通信のためのＰＤＮコネクションを用いてＩＭＳネットワーク＿Ａ１１０に送信し、ＳＩＰ  Ｉｎｖｉｔｅメッセージに対する応答として２００  ＯＫを受信して、緊急呼用のＩＭＳセッションを確立してもよい。
【０２４０】
なお、ＵＥ＿Ａ１０は、緊急呼を発呼するためのＳＩＰ  Ｉｎｖｉｔｅメッセージに、緊急呼であることを識別する情報を含めてもよい。
【０２４１】
なお、ユーザは、ＩＭＳセッションによって音声通話を行うことができる。言い換えると、ＵＥ＿Ａ１０は，ＩＭＳセッションを用いて緊急呼の音声通話データを送受信することができる。さらに、ＵＥ＿Ａ１０は、緊急通信サービス用のＰＤＮコネクションを用いてＩＭＳセッションを用いた緊急呼の音声通話データを送受信することができる。
【０２４２】
［２．変形例］
各実施形態において説明したｅＰＤＧ＿Ａ６５は、ＴＷＡＧ＿Ａ７４であってもよい。
【０２４３】
なお、ｅＰＤＧ＿Ａ６５とＴＷＡＧ＿Ａ７４の構成の違いは、ｅＰＤＧ＿Ａ６５がＷＬＡＮ  ＡＮｂ７５に含まれて構成され、且つコアネットワーク＿Ａ９０とＷＬＡＮ  ＡＮｂ７５とを接続しているのに対し、ＴＷＡＧ＿Ａ７４は、ＷＬＡＮ  ＡＮａ７０に含まれて構成され、コアネットワーク＿Ａ９０とＷＬＡＮ  ＡＮａ７０とを接続している点が異なり、記憶部に記憶される情報等は同じであってよい。
【０２４４】
また、各実施形態においてＵＥ＿Ａ１０とｅＰＤＧ＿Ａ６５が送受信した制御メッセージがＩＫＥに基づく制御メッセージであったのに対し、ＵＥ＿Ａ１０とＴＷＡＧ＿Ａ７４の送受信する制御メッセージは、ＷＬＣＰ（ＷＬＡＮ  Ｃｏｎｔｒｏｌ  Ｐｒｏｔｏｃｏｌ）に基づく制御メッセージであってよい。
【０２４５】
より具体的には、ＰＤＮコネクションを確立するためにＵＥ＿Ａ１０がｅＰＤＧ＿Ａ６５に送信するＩＫＥ＿ＡＵＴＨ要求（ＩＫＥ＿ＡＵＴＨ  Ｒｅｑｕｅｓｔ）は、ＰＤＮ接続要求メッセージ（ＰＤＮ  Ｃｏｎｎｅｃｔｉｖｉｔｙ  Ｒｅｑｕｅｓｔ）であってもよい。
【０２４６】
また、ＰＤＮコネクションを確立するためにｅＰＤＧ＿Ａ６５がＵＥ＿Ａ１０に送信するＩＫＥ＿ＡＵＴＨ応答（ＩＫＥ＿ＡＵＴＨ  Ｒｅｓｐｏｎｓｅ）は、ＰＤＮ接続受諾メッセージ（ＰＤＮ  Ｃｏｎｎｅｃｔｉｖｉｔｙ  Ａｃｃｅｐｔ）であってよい。
【０２４７】
したがって、ＩＫＥ＿ＡＵＴＨ要求及び又はＩＫＥ＿ＡＵＴＨ応答で送受信する第１の識別情報及び又は第２の識別情報及び又は第３の識別情報は、ＷＬＣＰ  ＰＤＮ接続要求及び又はＷＬＣＰ  ＰＤＮ接続受諾で送受信されてもよい。
【０２４８】
また、デタッチ手続きのためにＵＥ＿Ａ１０がｅＰＤＧ＿Ａ６５に送受するＩＫＥ＿ＡＵＴＨ要求（ＩＫＥ＿ＡＵＴＨ  Ｒｅｑｕｅｓｔ）は、ＰＤＮ切断要求メッセージ（ＰＤＮ  ｄｉｓｃｏｎｎｅｃｔ  Ｒｅｑｕｅｓｔ）であってもよい。
【０２４９】
さらに、ＰＤＮコネクションを切断するためにｅＰＤＧ＿Ａ６５がＵＥ＿Ａ１０に送信するＩＫＥ＿ＡＵＴＨ応答（ＩＫＥ＿ＡＵＴＨ  Ｒｅｓｐｏｎｓｅ）は、ＰＤＮ切断受諾メッセージ（ＰＤＮ  ｄｉｓｃｏｎｎｅｃｔ  Ａｃｃｅｐｔ）であってよい。
【０２５０】
なお、ＰＤＮ接続要求メッセージ及びＰＤＮ切断要求メッセージは、ＵＥ＿Ａ１０がＴＷＡＧ＿Ａ７４に送信する制御メッセージであり、ＰＤＮ接続受諾メッセージ及びＰＤＮ切断受諾メッセージは、ＴＷＡＧ７４がＵＥ＿Ａ１０に送信する制御メッセージであってよい。
【０２５１】
その他の手続き及び処理については、ｅＰＤＧ＿Ａ６５をＴＷＡＧ＿Ａ７４に置き換えればよいため、詳細説明を省略する。
【０２５２】
これにより、ＵＥ＿Ａ１０は、Ｔｒｕｓｔｅｄ  Ｎｏｎ−３ＧＰＰ  Ａｃｃｅｓｓ  Ｎｅｔｗｏｒｋに接続する場合にも、ＴＷＡＧを介して緊急通信用のＰＤＮコネクションを確立し、緊急通信サービスを受けることができる。
【０２５３】
また、各実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【０２５４】
ここで、プログラムを格納する記録媒体としては、半導体媒体（例えば、ＲＯＭや、不揮発性のメモリカード等）、光記録媒体・光磁気記録媒体（例えば、ＤＶＤ（Ｄｉｇｉｔａｌ  Ｖｅｒｓａｔｉｌｅ  Ｄｉｓｃ）、ＭＯ（Ｍａｇｎｅｔｏ  Ｏｐｔｉｃａｌ  Ｄｉｓｃ）、ＭＤ（Ｍｉｎｉ  Ｄｉｓｃ）、ＣＤ（Ｃｏｍｐａｃｔ  Ｄｉｓｃ）、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０２５５】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０２５６】
また、上述した実施形態における各装置の一部又は全部を典型的には集積回路であるＬＳＩ（Ｌａｒｇｅ  Ｓｃａｌｅ  Ｉｎｔｅｇｒａｔｉｏｎ）として実現してもよい。各装置の各機能ブロックは個別にチップ化してもよいし、一部、又は全部を集積してチップ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いることも可能であることは勿論である。
【０２５７】
また、上述した実施形態においては、無線アクセスネットワークの例としてＬＴＥと、ＷＬＡＮ（例えば、ＩＥＥＥ８０２．１１ａ／ｂ／ｎ等）とについて説明したが、ＷＬＡＮの代わりにＷｉＭＡＸによって接続されてもよい。
【符号の説明】
【０２５８】
９  通信システム
１０  ＵＥ＿Ａ
３０  ＰＧＷ＿Ａ
３５  ＳＧＷ＿Ａ
４０  ＭＭＥ＿Ａ
４５  ｅＮＢ＿Ａ
５０  ＨＳＳ＿Ａ
５５  ＡＡＡ＿Ａ
６０  ＰＣＲＦ＿Ａ
６５  ｅＰＤＧ＿Ａ
７０  ＷＬＡＮ  ＡＮａ
７４  ＴＷＡＧ＿Ａ
７５  ＷＬＡＮ  ＡＮｂ
８０  ＬＴＥ  ＡＮ＿Ａ
９０  コアネットワーク＿Ａ
１００  ＰＤＮ＿Ａ
１１０  ＩＭＳ＿Ａ
１１２  Ｐ−ＣＳＣＦ＿Ａ
【図１】
2018137490.tif 000003
【図２】
2018137490.tif 000004
【図３】
2018137490.tif 000005
【図４】
2018137490.tif 000006
【図５】
2018137490.tif 000007
【図６】
2018137490.tif 000008
【図７】
2018137490.tif 000009
【図８】
2018137490.tif 000010
【図９】
2018137490.tif 000011
【図１０】
2018137490.tif 000012
【図１１】
2018137490.tif 000013
【図１２】
2018137490.tif 000014
【図１３】
2018137490.tif 000015
【図１４】
2018137490.tif 000016